(57)【要約】【課題】空気に含まれる臭気成分やたばこ臭、ノネナール臭を取り除くことができ、扇風機から清浄な空気を送気することができる扇風機用の脱臭具を提供する。【解決手段】脱臭リング１０Ａは、空気に含まれる臭気成分を吸着する活性炭とバインダーとを混合した混合物を薄板状に成形することから作られ、内周縁部１２および外周縁部１３と、内周縁部１２に囲繞されて扇風機の螺子パイプに挿脱可能に挿入する中央開口１４と、ハニカム形状に成形されて内周縁部１２から外周縁部１３に向かって径方向へ一連に並ぶ複数の多孔質ハニカム枠１５と、それらハニカム枠１５に囲繞されて内周縁部１２から外周縁部１３に向かって径方向へ一連に並ぶ複数の通気孔１６とを有し、扇風機の後方羽根ガードとガード締付ナットとの間に着脱可能に取り付けられる。【選択図】図１
2015029876.tif 000002
【特許請求の範囲】
【請求項１】
空気に含まれる臭気成分を吸着する活性炭とバインダーとを混合した混合物を薄板状に成形することから作られ、内周縁部および外周縁部と、ハニカム形状に成形されて前記内周縁部から前記外周縁部に向かって径方向へ一連に並ぶ複数の多孔質ハニカム枠と、それらハニカム枠に囲繞されて前記内周縁部から前記外周縁部に向かって径方向へ一連に並ぶ複数の通気孔とを有することを特徴とする脱臭リング。
【請求項２】
前記脱臭リングが、前記内周縁部に囲繞されて扇風機のモーターケースから前方へ延びる螺子パイプに挿脱可能に挿入する中央開口を含み、前記扇風機の羽根の後方に取り付けられた後方羽根ガードと前記後方羽根ガードを前記モーターケースに固定するガード締付ナットとの間に着脱可能に取り付けられ、前記脱臭リングの内周縁部が、前記後方羽根ガードの内周部と前記ガード締付ナットとに挟まれた状態で前記螺子パイプに固定される請求項１に記載の脱臭リング。
【請求項３】
前記脱臭リングが、その外周縁部から内周縁部に向かって前後方向後方へ凸となり、前記脱臭リングでは、それを前記扇風機に取り付けたときに、それら多孔質ハニカム枠が前記羽根から次第に離間するように湾曲する前記後方羽根ガードのガードバーに沿って位置する請求項２に記載の脱臭リング。
【請求項４】
前記脱臭リングのそれら多孔質ハニカム枠が、前記内周縁部から前記外周縁部に向かって直状につながり、前記脱臭リングでは、それを前記扇風機に取り付けたときに、それら多孔質ハニカム枠が径方向へ直状に延びる前記後方羽根ガードのガードバーに沿って位置する請求項２に記載の脱臭リング。
【請求項５】
それら多孔質ハニカム枠を形成する各壁の前後方向への延出寸法が、１〜７ｍｍの範囲にある請求項１ないし請求項４いずれかに記載の脱臭リング。
【請求項６】
それら多孔質ハニカム枠を形成する各壁の長さ寸法が、１〜５ｍｍの範囲にあり、それら通気孔の面積が、４．４９９〜１１２．４９ｍｍ２の範囲にある請求項１ないし請求項５いずれかに記載の脱臭リング。
【請求項７】
それら多孔質ハニカム枠を形成する各壁が、前記脱臭リングの前後方向へ延びる軸線に対して該前後方向へ向かって所定の角度で傾斜している請求項１ないし請求項６いずれかに記載の脱臭リング。
【請求項８】
前記脱臭リングの内周縁部の側に形成された多孔質ハニカム枠には、臭気成分を酸化分解する脱臭触媒が担持されている請求項１ないし請求項７いずれかに記載の脱臭リング。
【請求項９】
前記脱臭リングが、前記内周縁部の側に位置する内側脱臭リングと、前記外周縁部の側に位置する外側脱臭リングとから形成され、前記外側脱臭リングの各多孔質ハニカム枠の大きさが、前記内側脱臭リングの各多孔質ハニカム枠のそれよりも大きく、前記外側脱臭リングのハニカム枠に囲繞された通気孔の面積が、前記内側脱臭リングのハニカム枠に囲繞された通気孔のそれよりも大きい請求項１ないし請求項６いずれかに記載の脱臭リング。
【請求項１０】
前記内側脱臭リングの多孔質ハニカム枠を形成する各壁の長さ寸法が、１〜２．５ｍｍの範囲、前記内側脱臭リングのハニカム枠に囲繞された通気孔の面積が、４．４９９〜２８．１２ｍｍ２の範囲にあり、前記外側脱臭リングの多孔質ハニカム枠を形成する各壁の長さ寸法が、２〜５ｍｍの範囲、前記外側脱臭リングのハニカム枠に囲繞された通気孔の面積が、１７．９９〜１１２．４９ｍｍ２の範囲にある請求項９に記載の脱臭リング。
【請求項１１】
前記外側脱臭リングのそれら多孔質ハニカム枠を形成する各壁の前後方向への延出寸法が、前記内側脱臭リングのそれら多孔質ハニカム枠を形成する各壁の前後方向へのそれよりも大きく、前記外側脱臭リングのそれら多孔質ハニカム枠の各壁の前後方向への延出寸法が、４〜７ｍｍの範囲にあり、前記内側脱臭リングのそれら多孔質ハニカム枠の各壁の前後方向への延出寸法が、１〜４ｍｍの範囲にある請求項９または請求項１０に記載の脱臭リング。
【請求項１２】
前記外側脱臭リングのそれら多孔質ハニカム枠を形成する各壁が、前記脱臭リングの前後方向へ延びる軸線に対して該前後方向へ向かって所定の角度で傾斜している請求項９ないし請求項１１いずれかに記載の脱臭リング。
【請求項１３】
前記内側脱臭リングのそれら多孔質ハニカム枠を形成する各壁が、前記脱臭リングの前後方向へ延びる軸線に対して該前後方向へ向かって所定の角度で傾斜している請求項９ないし請求項１１いずれかに記載の脱臭リング。
【請求項１４】
前記外側脱臭リングのそれら多孔質ハニカム枠には、臭気成分を酸化分解する脱臭触媒が担持されている請求項９ないし請求項１３いずれかに記載の脱臭リング。
【請求項１５】
前記脱臭リングが、前記内周縁部の側に位置する内側脱臭リングと、前記外周縁部の側に位置する外側脱臭リングとから形成され、前記内側脱臭リングの各多孔質ハニカム枠の大きさが、前記外側脱臭リングの各多孔質ハニカム枠のそれよりも大きく、前記内側脱臭リングのハニカム枠に囲繞された通気孔の面積が、前記外側脱臭リングのハニカム枠に囲繞された通気孔のそれよりも大きい請求項１ないし請求項６いずれかに記載の脱臭リング。
【請求項１６】
前記内側脱臭リングの多孔質ハニカム枠を形成する各壁の長さ寸法が、２〜５ｍｍの範囲、前記内側脱臭リングのハニカム枠に囲繞された通気孔の面積が、１７．９９〜１１２．４９ｍｍ２の範囲にあり、前記外側脱臭リングの多孔質ハニカム枠を形成する各壁の長さ寸法が、１〜２．５ｍｍの範囲、前記外側脱臭リングのハニカム枠に囲繞された通気孔の面積が、４．４９９〜２８．１２ｍｍ２の範囲にある請求項１５に記載の脱臭リング。
【請求項１７】
前記内側脱臭リングのそれら多孔質ハニカム枠を形成する各壁の前後方向への延出寸法が、前記外側脱臭リングのそれら多孔質ハニカム枠を形成する各壁の前後方向へのそれよりも大きく、前記内側脱臭リングのそれら多孔質ハニカム枠の各壁の前後方向への延出寸法が、４〜７ｍｍの範囲にあり、前記外側脱臭リングのそれら多孔質ハニカム枠の各壁の前後方向への延出寸法が、１〜４ｍｍの範囲にある請求項１５または請求項１６に記載の脱臭リング。
【請求項１８】
前記内側脱臭リングのそれら多孔質ハニカム枠を形成する各壁が、前記脱臭リングの前後方向へ延びる軸線に対して該前後方向へ向かって所定の角度で傾斜している請求項１５ないし請求項１７いずれかに記載の脱臭リング。
【請求項１９】
前記内側脱臭リングのそれら多孔質ハニカム枠には、臭気成分を酸化分解する脱臭触媒が担持されている請求項１５ないし請求項１８いずれかに記載の脱臭リング。
【発明の詳細な説明】
【技術分野】
【０００１】
本発明は、空気に含まれる臭気を取り除く脱臭リングに関し、より詳細には、扇風機に使用され、扇風機から送風される空気に含まれる臭気を取り除く扇風機用の脱臭リングに関する。
【背景技術】
【０００２】
扇風機の回転羽根をガードする後方羽根ガードの背面を外方から被覆可能な環状のフィルタ材と、そのフィルタ材を展開状態で保持する環状の枠形状を有したフレームと、そのフレームを羽根ガードに係止する係止部材とを備え、フィルタ材が周方向に向かって複数の部分フィルタ材に分割され、フレームが周方向に向かって複数の部分フレームに分割された扇風機用フィルタが開示されている（特許文献１参照）。この扇風機用フィルタは、扇風機に容易に着脱することができ、フィルタのうちの破損した部分フィルタ材や汚れた部分フィルタ材のみを交換することができる。
【先行技術文献】
【特許文献】
【０００３】
【特許文献１】特開２００５−２４０６９７号公報
【発明の概要】
【発明が解決しようとする課題】
【０００４】
前記特許文献１に開示の扇風機用フィルタは、扇風機を通過する空気に含まれる塵埃を取り除くことはできるが、空気に含まれる臭気成分やたばこ臭、ノネナール臭を取り除くことはできない。なお、空気に含まれる臭気成分には、アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトンが含まれる。
【０００５】
本発明の目的は、空気に含まれる臭気成分やたばこ臭、ノネナール臭を取り除くことができ、清浄な空気を作ることができる脱臭リングを提供することにある。本発明の他の目的は、扇風機を利用して空気に含まれる臭気成分やたばこ臭、ノネナール臭を取り除くことができ、扇風機による送風と同時に清浄な空気を送気することができる扇風機用の脱臭リングを提供することにある。
【課題を解決するための手段】
【０００６】
前記課題を解決するための本発明にかかる脱臭リングの特徴は、空気に含まれる臭気成分を吸着する活性炭とバインダーとを混合した混合物を薄板状に成形することから作られ、内周縁部および外周縁部と、ハニカム形状に成形されて内周縁部から外周縁部に向かって径方向へ一連に並ぶ複数の多孔質ハニカム枠と、それらハニカム枠に囲繞されて内周縁部から外周縁部に向かって径方向へ一連に並ぶ複数の通気孔とを有することにある。
【０００７】
前記脱臭リングの一例としては、脱臭リングが、内周縁部に囲繞されて扇風機のモーターケースから前方へ延びる螺子パイプに挿脱可能に挿入する中央開口を含み、扇風機の羽根の後方に取り付けられた後方羽根ガードと後方羽根ガードをモーターケースに固定するガード締付ナットとの間に着脱可能に取り付けられ、脱臭リングの内周縁部が、後方羽根ガードの内周部とガード締付ナットとに挟まれた状態で前記螺子パイプに固定される。
【０００８】
前記脱臭リングの他の一例としては、脱臭リングがその外周縁部から内周縁部に向かって前後方向後方へ凸となり、脱臭リングでは、それを扇風機に取り付けたときに、それら多孔質ハニカム枠が羽根から次第に離間するように湾曲する後方羽根ガードのガードバーに沿って位置する。
【０００９】
前記脱臭リングの他の一例としては、脱臭リングのそれら多孔質ハニカム枠が内周縁部から外周縁部に向かって直状につながり、脱臭リングでは、それを扇風機に取り付けたときに、それら多孔質ハニカム枠が径方向へ直状に延びる後方羽根ガードのガードバーに沿って位置する。
【００１０】
前記脱臭リングの他の一例としては、それら多孔質ハニカム枠を形成する各壁の前後方向への延出寸法が１〜７ｍｍの範囲にある。
【００１１】
前記脱臭リングの他の一例としては、それら多孔質ハニカム枠を形成する各壁の長さ寸法が１〜５ｍｍの範囲にあり、それら通気孔の面積が４．４９９〜１１２．４９ｍｍ２の範囲にある。
【００１２】
前記脱臭リングの他の一例としては、それら多孔質ハニカム枠を形成する各壁が脱臭リングの前後方向へ延びる軸線に対して前後方向へ向かって所定の角度で傾斜している。
【００１３】
前記脱臭リングの他の一例として、脱臭リングの内周縁部の側に形成された多孔質ハニカム枠には、臭気成分を酸化分解する脱臭触媒が担持されている。
【００１４】
前記脱臭リングの他の一例としては、脱臭リングが、内周縁部の側に位置する内側脱臭リングと、外周縁部の側に位置する外側脱臭リングとから形成され、外側脱臭リングの各多孔質ハニカム枠の大きさが内側脱臭リングの各多孔質ハニカム枠のそれよりも大きく、外側脱臭リングのハニカム枠に囲繞された通気孔の面積が内側脱臭リングのハニカム枠に囲繞された通気孔のそれよりも大きい。
【００１５】
前記脱臭リングの他の一例としては、内側脱臭リングの多孔質ハニカム枠を形成する各壁の長さ寸法が１〜２．５ｍｍの範囲、内側脱臭リングのハニカム枠に囲繞された通気孔の面積が４．４９９〜２８．１２ｍｍ２の範囲にあり、外側脱臭リングの多孔質ハニカム枠を形成する各壁の長さ寸法が２〜５ｍｍの範囲、外側脱臭リングのハニカム枠に囲繞された通気孔の面積が１７．９９〜１１２．４９ｍｍ２の範囲にある。
【００１６】
前記脱臭リングの他の一例としては、外側脱臭リングのそれら多孔質ハニカム枠を形成する各壁の前後方向への延出寸法が内側脱臭リングのそれら多孔質ハニカム枠を形成する各壁の前後方向へのそれよりも大きく、外側脱臭リングのそれら多孔質ハニカム枠の各壁の前後方向への延出寸法が４〜７ｍｍの範囲にあり、内側脱臭リングのそれら多孔質ハニカム枠の各壁の前後方向への延出寸法が１〜４ｍｍの範囲にある。
【００１７】
前記脱臭リングの他の一例としては、外側脱臭リングのそれら多孔質ハニカム枠を形成する各壁が脱臭リングの前後方向へ延びる軸線に対して前後方向へ向かって所定の角度で傾斜している。
【００１８】
前記脱臭リングの他の一例としては、内側脱臭リングのそれら多孔質ハニカム枠を形成する各壁が脱臭リングの前後方向へ延びる軸線に対して前後方向へ向かって所定の角度で傾斜している。
【００１９】
前記脱臭リングの他の一例として、外側脱臭リングのそれら多孔質ハニカム枠には、臭気成分を酸化分解する脱臭触媒が担持されている。
【００２０】
前記脱臭リングの他の一例としては、脱臭リングが、内周縁部の側に位置する内側脱臭リングと、外周縁部の側に位置する外側脱臭リングとから形成され、内側脱臭リングの各多孔質ハニカム枠の大きさが外側脱臭リングの各多孔質ハニカム枠のそれよりも大きく、内側脱臭リングのハニカム枠に囲繞された通気孔の面積が外側脱臭リングのハニカム枠に囲繞された通気孔のそれよりも大きい。
【００２１】
前記脱臭リングの他の一例としては、内側脱臭リングの多孔質ハニカム枠を形成する各壁の長さ寸法が２〜５ｍｍの範囲、内側脱臭リングのハニカム枠に囲繞された通気孔の面積が１７．９９〜１１２．４９ｍｍ２の範囲にあり、外側脱臭リングの多孔質ハニカム枠を形成する各壁の長さ寸法が１〜２．５ｍｍの範囲、外側脱臭リングのハニカム枠に囲繞された通気孔の面積が４．４９９〜２８．１２ｍｍ２の範囲にある。
【００２２】
前記脱臭リングの他の一例としては、内側脱臭リングのそれら多孔質ハニカム枠を形成する各壁の前後方向への延出寸法が外側脱臭リングのそれら多孔質ハニカム枠を形成する各壁の前後方向へのそれよりも大きく、内側脱臭リングのそれら多孔質ハニカム枠の各壁の前後方向への延出寸法が４〜７ｍｍの範囲にあり、外側脱臭リングのそれら多孔質ハニカム枠の各壁の前後方向への延出寸法が１〜４ｍｍの範囲にある。
【００２３】
前記脱臭リングの他の一例としては、内側脱臭リングのそれら多孔質ハニカム枠を形成する各壁が脱臭リングの前後方向へ延びる軸線に対して前後方向へ向かって所定の角度で傾斜している。
【００２４】
前記脱臭リングの他の一例として、内側脱臭リングのそれら多孔質ハニカム枠には、臭気成分を酸化分解する脱臭触媒が担持されている。
【発明の効果】
【００２５】
本発明にかかる脱臭リングによれば、それが空気に含まれる臭気成分を吸着する活性炭とバインダーとを混合した混合物を薄板状に成形することから作られ、空気が脱臭リングの通気孔を通過するときに、空気が脱臭リングの各多孔質ハニカム枠に接触することで、空気に含まれる臭気成分やたばこ臭、ノネナール臭をそれらハニカム枠に吸着させることができ、空気に含まれる臭気成分やたばこ臭、ノネナール臭をハニカム枠によって確実に取り除くことができる。脱臭リングは、空気に含まれる臭気成分やたばこ臭、ノネナール臭がハニカム枠によって除去されるから、それら臭気を除去した清浄な空気を作ることができる。
【００２６】
扇風機の羽根の後方に取り付けられた後方羽根ガードと後方羽根ガードをモーターケースに固定するガード締付ナットとの間に着脱可能に取り付けられる脱臭リングは、扇風機の羽根が回転すると、後方羽根ガードから扇風機に進入した空気が脱臭リングの通気孔を通って扇風機の前方へ送風されるが、空気が脱臭リングを通過するときに、空気が脱臭リングの各多孔質ハニカム枠に接触するから、空気に含まれる臭気成分やたばこ臭、ノネナール臭をそれらハニカム枠に吸着させることができ、空気に含まれる臭気成分やたばこ臭、ノネナール臭をハニカム枠によって確実に取り除くことができる。脱臭具リングは、扇風機に好適に使用され、空気に含まれる臭気成分やたばこ臭、ノネナール臭がハニカム枠によって除去されるから、扇風機を利用して清浄な空気を作ることができ、扇風機による送風と同時に清浄な空気を扇風機の前方へ送気することができる。
【００２７】
扇風機に取り付けたときに、各多孔質ハニカム枠が羽根から次第に離間するように湾曲する後方羽根ガードのガードバーに沿って位置する脱臭リングは、それら多孔質ハニカム枠が後方羽根ガードの湾曲するガードバーに並行するから、後方羽根ガードから扇風機に進入した空気が脱臭リングの全域を満遍なく通過し、空気が脱臭リングの全域の多孔質ハニカム枠に接触し、空気に含まれる臭気成分やたばこ臭、ノネナール臭を脱臭リングの全域のそれら多孔質ハニカム枠に吸着させることができ、空気に含まれる臭気成分やたばこ臭、ノネナール臭をハニカム枠によって確実に取り除くことができる。脱臭リングは、空気に含まれる臭気成分やたばこ臭、ノネナール臭がハニカム枠によって除去されるから、扇風機を利用して清浄な多量の空気を作ることができ、扇風機による送風と同時に清浄な空気を扇風機の前方へ送気することができる。
【００２８】
多孔質ハニカム枠が内周縁部から外周縁部に向かって直状につながり、扇風機に取り付けたときに、各多孔質ハニカム枠が径方向へ直状に延びる後方羽根ガードのガードバーに沿って位置する脱臭リングは、それら多孔質ハニカム枠が後方羽根ガードの直状に延びるガードバーに並行するから、後方羽根ガードから扇風機に進入した空気が脱臭リングの全域を満遍なく通過し、空気が脱臭リングの全域の多孔質ハニカム枠に接触し、空気に含まれる臭気成分やたばこ臭、ノネナール臭を脱臭リングの全域のそれら多孔質ハニカム枠に吸着させることができ、空気に含まれる臭気成分やたばこ臭、ノネナール臭をハニカム枠によって確実に取り除くことができる。脱臭リングは、空気に含まれる臭気成分やたばこ臭、ノネナール臭がハニカム枠によって除去されるから、扇風機を利用して清浄な多量の空気を作ることができ、扇風機による送風と同時に清浄な空気を扇風機の前方へ送気することができる。
【００２９】
それら多孔質ハニカム枠を形成する各壁の前後方向への延出寸法が１〜７ｍｍの範囲にある脱臭リングは、多孔質ハニカム枠の各壁の前後方向への延出寸法を前記範囲にすることで、ハニカム枠の比表面積を大きくすることができ、ハニカム枠の臭気吸着機能を向上させることができる。脱臭リングは、空気を比表面積の大きいそれら多孔質ハニカム枠に接触させることで、ハニカム枠に多くの臭気成分やたばこ臭、ノネナール臭を吸着させることができ、空気に含まれる臭気成分やたばこ臭、ノネナール臭をハニカム枠によって確実に取り除くことができる。脱臭リングが扇風機に使用された場合、各壁の延出寸法が前記範囲にあるハニカム枠によって空気に含まれる臭気成分やたばこ臭、ノネナール臭が除去されるから、扇風機を利用して清浄な空気を作ることができ、扇風機による送風と同時に清浄な空気を扇風機の前方へ送気することができる。
【００３０】
それら多孔質ハニカム枠を形成する各壁の長さ寸法が１〜５ｍｍの範囲にあり、それら通気孔の面積が４．４９９〜１１２．４９ｍｍ２の範囲にある脱臭リングは、多孔質ハニカム枠の各壁の長さ寸法を前記範囲にすることで、内周縁部と外周縁部との間に多数のハニカム枠が作られるから、空気を多数のそれらハニカム枠に接触させて空気に含まれる臭気成分やたばこ臭、ノネナール臭をそれらハニカム枠に吸着させることができ、空気に含まれる臭気成分やたばこ臭、ノネナール臭をハニカム枠によって確実に取り除くことができる。脱臭リングが扇風機に使用された場合、各壁の長さ寸法が前記範囲にあるハニカム枠によって空気に含まれる臭気成分やたばこ臭、ノネナール臭が除去されるから、扇風機を利用して清浄な空気を作ることができ、扇風機による送風と同時に清浄な空気を扇風機の前方へ送気することができる。
【００３１】
それら多孔質ハニカム枠を形成する各壁が脱臭リングの前後方向へ延びる軸線に対して前後方向へ向かって所定の角度で傾斜している脱臭リングは、空気が通気孔を通過するときに、各壁が軸線に対して前後方向へ傾斜するハニカム枠に空気が確実に接触するから、空気に含まれる臭気成分やたばこ臭、ノネナール臭をそれらハニカム枠に吸着させることができ、空気に含まれる臭気成分やたばこ臭、ノネナール臭をハニカム枠によって確実に取り除くことができる。脱臭リングが扇風機に使用された場合、各壁が軸線に対して前後方向へ傾斜するハニカム枠によって空気に含まれる臭気成分やたばこ臭、ノネナール臭が除去されるから、扇風機を利用して清浄な空気を作ることができ、扇風機による送風と同時に清浄な空気を扇風機の前方へ送気することができる。
【００３２】
臭気成分を酸化分解する脱臭触媒が脱臭リングの内周縁部の側に形成された多孔質ハニカム枠に担持されている脱臭リングは、脱臭リングの内周縁部の側に形成されたハニカム枠に担持された脱臭触媒によって空気に含まれる臭気成分やたばこ臭、ノネナール臭が酸化分解されるから、空気に含まれる臭気成分やたばこ臭、ノネナール臭を各ハニカム枠に吸着させることができるのみならず、臭気成分やたばこ臭、ノネナール臭をハニカム枠によって酸化分解して無臭にすることができ、空気に含まれる臭気成分やたばこ臭、ノネナール臭をハニカム枠によって確実に取り除くことができる。
【００３３】
内周縁部の側に位置する内側脱臭リングと外周縁部の側に位置する外側脱臭リングとから形成され、外側脱臭リングの各多孔質ハニカム枠の大きさが内側脱臭リングの各多孔質ハニカム枠のそれよりも大きく、外側脱臭リングのハニカム枠に囲繞された通気孔の面積が内側脱臭リングのハニカム枠に囲繞された通気孔のそれよりも大きい脱臭リングは、それが扇風機に使用された場合、扇風機の羽根の中心域よりも羽根の外周域での空気の流れが強くなるが、外側脱臭リングの各ハニカム枠の大きさを内側脱臭リングの各ハニカム枠のそれよりも大きくすることで、外側脱臭リングが扇風機に進入する空気の障害になることはなく、扇風機に空気をスムーズに流入させることができ、ハニカム枠によって臭気成分やたばこ臭、ノネナール臭が除去された清浄な空気を円滑に送風することができる。脱臭リングは、外側脱臭リングの各ハニカム枠に空気を接触させることで、空気に含まれる臭気成分やたばこ臭、ノネナール臭を取り除くことができる他、各ハニカム枠の大きさが外側脱臭リングのそれよりも小さい内側脱臭リングにおいてハニカム枠が密に形成されることで、内側脱臭リングのハニカム枠に多くの臭気成分やたばこ臭、ノネナール臭を吸着させることができ、空気に含まれる臭気成分やたばこ臭、ノネナール臭をハニカム枠によって確実に取り除くことができる。
【００３４】
内側脱臭リングのハニカム枠を形成する各壁の長さ寸法が１〜２．５ｍｍの範囲、内側脱臭リングのハニカム枠に囲繞された通気孔の面積が４．４９９〜２８．１２ｍｍ２の範囲にあり、外側脱臭リングのハニカム枠を形成する各壁の長さ寸法が２〜５ｍｍの範囲、外側脱臭リングのハニカム枠に囲繞された通気孔の面積が１７．９９〜１１２．４９ｍｍ２の範囲にある脱臭リングは、それが扇風機に使用された場合、扇風機の羽根の中心域よりも外周域での空気の流れが強くなるが、ハニカム枠の各壁の長さ寸法や通気孔の面積を前記範囲にすることで、外側脱臭リングの各ハニカム枠の大きさが内側脱臭リングの各ハニカム枠のそれよりも大きくなり、外側脱臭リングが扇風機に進入する空気の障害になることはなく、扇風機に空気をスムーズに流入させることができ、扇風機から清浄な空気を送風することができる。脱臭リングは、外側脱臭リングの各ハニカム枠に空気を接触させることで、空気に含まれる臭気成分やたばこ臭、ノネナール臭を取り除くことができる他、各ハニカム枠の大きさが外側脱臭リングのそれよりも小さい内側脱臭リングにおいてハニカム枠が密に形成されることで、内側脱臭リングのハニカム枠に多くの臭気成分やたばこ臭、ノネナール臭を吸着させることができ、空気に含まれる臭気成分やたばこ臭、ノネナール臭をハニカム枠によって確実に取り除くことができる。
【００３５】
外側脱臭リングの各ハニカム枠を形成する各壁の前後方向への延出寸法が内側脱臭リングの各ハニカム枠を形成する各壁の前後方向へのそれよりも大きく、外側脱臭リングのハニカム枠の各壁の前後方向への延出寸法が４〜７ｍｍの範囲にあり、内側脱臭リングのハニカム枠の各壁の前後方向への延出寸法が１〜４ｍｍの範囲にある脱臭リングは、外側脱臭リングの各ハニカム枠の各壁の延出寸法が内側脱臭リングの各ハニカム枠の各壁のそれよりも大きいが、外側脱臭リングのハニカム枠の各壁の延出寸法を内側脱臭リングのハニカム枠の各壁のそれよりも大きくすることで、外側脱臭リングのハニカム枠の比表面積を大きくすることができ、外側脱臭リングのハニカム枠の臭気吸着機能を向上させることができる。脱臭リングは、各壁の延出寸法が大きい外側脱臭リングのハニカム枠や大きさが小さく密に形成された内側脱臭リングのハニカム枠に空気を接触させることで、各ハニカム枠に多くの臭気成分やたばこ臭、ノネナール臭を吸着させることができ、空気に含まれる臭気成分やたばこ臭、ノネナール臭をハニカム枠によって確実に取り除くことができる。
【００３６】
外側脱臭リングのそれらハニカム枠を形成する各壁が脱臭リングの前後方向へ延びる軸線に対して前後方向へ向かって所定の角度で傾斜している脱臭リングは、空気が通気孔を通過するときに、各壁が軸線に対して前後方向へ傾斜する外側脱臭リングのハニカム枠に空気が確実に接触するから、空気に含まれる臭気成分やたばこ臭、ノネナール臭をそれらハニカム枠に吸着させることができ、空気に含まれる臭気成分やたばこ臭、ノネナール臭をハニカム枠によって確実に取り除くことができる。脱臭リングが扇風機に使用された場合、内側脱臭リングのハニカム枠や各壁が軸線に対して前後方向へ傾斜する外側脱臭リングのハニカム枠によって空気に含まれる臭気成分やたばこ臭、ノネナール臭が除去されるから、扇風機を利用して清浄な空気を作ることができ、扇風機による送風と同時に清浄な空気を扇風機の前方へ送気することができる。
【００３７】
内側脱臭リングのそれらハニカム枠を形成する各壁が脱臭リングの前後方向へ延びる軸線に対して前後方向へ向かって所定の角度で傾斜している脱臭リングは、空気が通気孔を通過するときに、各壁が軸線に対して前後方向へ傾斜する内側脱臭リングのハニカム枠に空気が確実に接触するから、空気に含まれる臭気成分やたばこ臭、ノネナール臭をそれらハニカム枠に吸着させることができ、空気に含まれる臭気成分やたばこ臭、ノネナール臭をハニカム枠によって確実に取り除くことができる。脱臭リングが扇風機に使用された場合、外側脱臭リングのハニカム枠や各壁が軸線に対して前後方向へ傾斜する内側脱臭リングのハニカム枠によって空気に含まれる臭気成分やたばこ臭、ノネナール臭が除去されるから、扇風機を利用して清浄な空気を作ることができ、扇風機による送風と同時に清浄な空気を扇風機の前方へ送気することができる。
【００３８】
臭気成分を酸化分解する脱臭触媒が外側脱臭リングのそれら多孔質ハニカム枠に担持されている脱臭リングは、外側脱臭リングのハニカム枠に担持された脱臭触媒によって空気に含まれる臭気成分やたばこ臭、ノネナール臭が酸化分解されるから、空気に含まれる臭気成分やたばこ臭、ノネナール臭を各ハニカム枠に吸着させることができるのみならず、臭気成分やたばこ臭、ノネナール臭をハニカム枠によって酸化分解して無臭にすることができ、空気に含まれる臭気成分やたばこ臭、ノネナール臭をハニカム枠によって確実に取り除くことができる。
【００３９】
内周縁部の側に位置する内側脱臭リングと外周縁部の側に位置する外側脱臭リングとから形成され、内側脱臭リングの各多孔質ハニカム枠の大きさが外側脱臭リングの各多孔質ハニカム枠のそれよりも大きく、内側脱臭リングのハニカム枠に囲繞された通気孔の面積が外側脱臭リングのハニカム枠に囲繞された通気孔のそれよりも大きい脱臭リングは、外側脱臭リングの各ハニカム枠の大きさを内側脱臭リングの各ハニカム枠のそれよりも小さくすることで、ハニカム枠を外側脱臭リングに密に形成することができ、外側脱臭リングの脱臭機能を向上させることができる。脱臭リングは、それを扇風機に使用することで、内側脱臭リングのハニカム枠に臭気成分やたばこ臭、ノネナール臭を吸着させることができる他、扇風機の羽根の外周域における強い空気の流れによって多量の空気が外側脱臭リングを通過することで、ハニカム枠が密に形成された外側脱臭リングに多くの臭気成分やたばこ臭、ノネナール臭を吸着させることができ、空気に含まれる臭気成分やたばこ臭、ノネナール臭をハニカム枠によって確実に取り除くことができる。
【００４０】
内側脱臭リングの多孔質ハニカム枠を形成する各壁の長さ寸法が２〜５ｍｍの範囲、内側脱臭リングのハニカム枠に囲繞された通気孔の面積が１７．９９〜１１２．４９ｍｍ２の範囲にあり、外側脱臭リングの多孔質ハニカム枠を形成する各壁の長さ寸法が１〜２．５ｍｍの範囲、外側脱臭リングのハニカム枠に囲繞された通気孔の面積が４．４９９〜２８．１２ｍｍ２の範囲にある脱臭リングは、ハニカム枠の各壁の長さ寸法や通気孔の面積を前記範囲にすることで、外側脱臭リングの各ハニカム枠の大きさが内側脱臭リングの各ハニカム枠のそれよりも小さくなり、ハニカム枠を外側脱臭リングに密に形成することができ、外側脱臭リングの脱臭機能を向上させることができる。脱臭リングは、それを扇風機に使用することで、内側脱臭リングのハニカム枠に臭気成分やたばこ臭、ノネナール臭を吸着させることができる他、扇風機の羽根の外周域における強い空気の流れによって多量の空気が外側脱臭リングを通過することで、ハニカム枠が密に形成された外側脱臭リングに多くの臭気成分やたばこ臭、ノネナール臭を吸着させることができ、空気に含まれる臭気成分やたばこ臭、ノネナール臭をハニカム枠によって確実に取り除くことができる。
【００４１】
内側脱臭リングのそれら多孔質ハニカム枠を形成する各壁の前後方向への延出寸法が外側脱臭リングのそれら多孔質ハニカム枠を形成する各壁の前後方向へのそれよりも大きく、内側脱臭リングのそれら多孔質ハニカム枠の各壁の前後方向への延出寸法が４〜７ｍｍの範囲にあり、外側脱臭リングのそれら多孔質ハニカム枠の各壁の前後方向への延出寸法が１〜４ｍｍの範囲にある脱臭リングは、内側脱臭リングの各ハニカム枠の各壁の延出寸法が外側脱臭リングの各ハニカム枠の各壁のそれよりも大きいが、内側脱臭リングのハニカム枠の各壁の延出寸法を外側脱臭リングのハニカム枠の各壁のそれよりも大きくすることで、内側脱臭リングのハニカム枠の比表面積を大きくすることができ、内側脱臭リングのハニカム枠の臭気吸着機能を向上させることができる。脱臭リングは、各壁の延出寸法が大きい内側脱臭リングのハニカム枠や大きさが小さく密に形成された外側脱臭リングのハニカム枠に空気を接触させることで、各ハニカム枠に多くの臭気成分やたばこ臭、ノネナール臭を吸着させることができ、空気に含まれる臭気成分やたばこ臭、ノネナール臭をハニカム枠によって確実に取り除くことができる。
【００４２】
内側脱臭リングのそれら多孔質ハニカム枠を形成する各壁が脱臭リングの前後方向へ延びる軸線に対して前後方向へ向かって所定の角度で傾斜している脱臭リングは、空気が通気孔を通過するときに、各壁が軸線に対して前後方向へ傾斜する内側脱臭リングのハニカム枠に空気が確実に接触するから、空気に含まれる臭気成分やたばこ臭、ノネナール臭をそれらハニカム枠に吸着させることができ、空気に含まれる臭気成分やたばこ臭、ノネナール臭をハニカム枠によって確実に取り除くことができる。脱臭リングが扇風機に使用された場合、外側脱臭リングのハニカム枠や各壁が軸線に対して前後方向へ傾斜する内側脱臭リングのハニカム枠によって空気に含まれる臭気成分やたばこ臭、ノネナール臭が除去されるから、扇風機を利用して清浄な空気を作ることができ、扇風機による送風と同時に清浄な空気を扇風機の前方へ送気することができる。
【００４３】
臭気成分を酸化分解する脱臭触媒が内側脱臭リングのそれら多孔質ハニカム枠に担持されている脱臭リングは、内側脱臭リングのハニカム枠に担持された脱臭触媒によって空気に含まれる臭気成分やたばこ臭、ノネナール臭が酸化分解されるから、空気に含まれる臭気成分やたばこ臭、ノネナール臭を各ハニカム枠に吸着させることができるのみならず、臭気成分やたばこ臭、ノネナール臭をハニカム枠によって酸化分解して無臭にすることができ、空気に含まれる臭気成分やたばこ臭、ノネナール臭をハニカム枠によって確実に取り除くことができる。
【図面の簡単な説明】
【００４４】
【図１】一例として示す脱臭リングの正面図。
【図２】脱臭リングの斜視図。
【図３】脱臭リングの部分拡大平面図。
【図４】多孔質ハニカム枠および通気孔の部分拡大斜視図。
【図５】扇風機に設置した状態で示す脱臭リングの正面図。
【図６】扇風機に設置した状態で示す脱臭リングの背面斜視図。
【図７】扇風機に設置した状態で示す脱臭リングの側面図。
【図８】脱臭リングを扇風機１１に取り付ける手順を説明する図。
【図９】他の一例として示す脱臭リングの部分拡大平面図。
【図１０】図９の脱臭リングの多孔質ハニカム枠および通気孔の部分拡大斜視図。
【図１１】軸線と壁との関係を表す図。
【図１２】他の一例として示す脱臭リングの斜視図。
【図１３】図１２の脱臭リングを取り付けた扇風機の側面図。
【図１４】他の一例として示す脱臭リングの正面図。
【図１５】図１４の脱臭リングの斜視図。
【図１６】図１４の脱臭リングの内側脱臭リングおよび外側脱臭リングの部分拡大斜視図。
【図１７】図１４の脱臭リングを設置した扇風機の正面図。
【図１８】図１４の脱臭リングを設置した扇風機の背面斜視図。
【図１９】他の一例として示す脱臭リングの部分拡大平面図。
【図２０】図１９の脱臭リングの内側脱臭リングおよび外側脱臭リングの部分拡大斜視図。
【図２１】他の一例として示す脱臭リングの部分拡大平面図。
【図２２】図２１の脱臭リングの内側脱臭リングおよび外側脱臭リングの部分拡大斜視図。
【図２３】他の一例として示す脱臭リングの斜視図。
【図２４】他の一例として示す脱臭リングの正面図。
【図２５】図２４の脱臭リングの斜視図。
【図２６】図２４の脱臭リングの内側脱臭リングおよび外側脱臭リングの部分拡大斜視図。
【図２７】図２４の脱臭リングを設置した扇風機の正面図。
【図２８】図２４の脱臭リングを設置した扇風機の背面斜視図。
【図２９】他の一例として示す脱臭リングの部分拡大平面図。
【図３０】図２９の脱臭リングの内側脱臭リングおよび外側脱臭リングの部分拡大斜視図。
【図３１】他の一例として示す脱臭リングの斜視図。
【発明を実施するための形態】
【００４５】
一例として示す脱臭リング１０Ａの正面図である図１等の添付の図面を参照し、本発明にかかる脱臭リングの詳細を説明すると、以下のとおりである。なお、図２は、脱臭リング１０Ａの斜視図であり、図３は、脱臭リング１０Ａの部分拡大平面図である。図４は、多孔質ハニカム枠１５および通気孔１６の部分拡大斜視図であり、図５は、扇風機１１に設置した状態で示す脱臭リング１０Ａの正面図である。図６は、扇風機１１に設置した状態で示す脱臭リング１０Ａの背面斜視図であり、図７は、扇風機１１に設置した状態で示す脱臭リング１０Ａの側面図である。図２，６では、ハニカム枠１５および通気孔１６の図示を一部省略している。
【００４６】
脱臭リング１０Ａは、扇風機１１（後記する後方羽根ガード２０の直前）に着脱可能に取り付けられる扇風機用であり、扇風機１１を通過する空気に含まれる臭気の除去に好適に使用される。脱臭リング１０Ａは、環状に延びる内周縁部１２と、環状に延びる外周縁部１３と、内周縁部１２に囲繞された円形の中央開口１４と、ハニカム形状（正六角形）に成形された複数の多孔質ハニカム枠１５と、ハニカム枠１５に囲繞されたハニカム形状の複数の通気孔１６とを有する。
【００４７】
脱臭リング１０Ａは、活性炭粉末と熱可塑性合成樹脂（バインダー）とから作られている。脱臭リング１０Ａは、加熱溶融させた熱可塑性合成樹脂に活性炭粉末を混合し、活性炭粉末が合成樹脂に均一に分散する混合物を作った後、その混合物を所定の金型（型）に流し込み、樹脂を固化させることから作られている。脱臭リング１０Ａでは、内周縁部１２および外周縁部１３とそれら多孔質ハニカム枠１５とが一体に成形されている。
【００４８】
活性炭粉末は、約３００〜５０００ｍ2／ｇの比表面積を有し、高い臭気吸着機能（ヨウ素やセシウム等の放射性物質吸着機能を含む）を有する。活性炭粉末は、活性炭を微粉砕して作られており、その平均粒径が５〜１０μｍの範囲にある。活性炭粉末に加工する活性炭は、ヤシガラやおが屑、硬質の木材チップ、木炭、草炭等を原料として作られている。熱可塑性合成樹脂には、フェノール樹脂やアクリル樹脂、オイルカーボン、ポリプロピレン樹脂、ポリエチレン樹脂等を使用することができる。熱可塑性合成樹脂に対する活性炭粉末の混合割合は、熱可塑性合成樹脂１００重量％に対して活性炭粉末８０〜１８０重量％、好ましくは、熱可塑性合成樹脂１００重量％に対して活性炭粉末１００〜１５０重量％である。
【００４９】
脱臭リング１０Ａは、外周縁部１３から内周縁部１２に向かって前後方向後方（扇風機１１の後方）へ凸となるように弧を画き、外周縁部１３から内周縁部１２に向かって湾曲している。それらハニカム枠１５は、内周縁部１２と外周縁部１３との間において一連につながっている。ハニカム枠１５は、それらのすべてが同形同大に作られ、通気孔１６は、それらのすべてが同形同大に作られている。ハニカム枠１５を形成する各壁１７は、同一方向（前後方向）へ並行して延びている。
【００５０】
脱臭リング１０Ａでは、それら多孔質ハニカム枠１５を形成する各壁１７の長さ寸法Ｌ１が１〜５ｍｍの範囲にあり、ハニカム枠１５に囲繞された通気孔１６の面積Ｓ１が４．４９９〜１１２．４９ｍｍ２の範囲にある。各ハニカム枠１５における各壁１７の長さ寸法Ｌ１や各通気孔１６の面積Ｓ１は同一である。ハニカム枠１５の各壁１７の長さ寸法Ｌ１が１ｍｍ未満であって、通気孔１６の面積Ｓ１が４．４９９ｍｍ２未満では、通気孔１６の開口面積が小さく、脱臭リング１０Ａにハニカム枠１５が密集して形成され、それらハニカム枠１５が通気孔１６を通過する空気の抵抗となり、扇風機１１から所定量の空気をスムーズに送風することができない場合がある。ハニカム枠１５の各壁１７の長さ寸法Ｌ１が５ｍｍを超過するとともに、通気孔１６の面積Ｓ１が１１２．４９ｍｍ２を超過すると、通気孔１６の開口面積が必要以上に大きくなり、脱臭リング１０Ａに形成されるハニカム枠１５の数が少なく、ハニカム枠１５に十分な量の空気を接触させることができず、ハニカム枠１５を利用して空気に含まれる臭気成分やたばこ臭、ノネナール臭を取り除くことができない。
【００５１】
脱臭リング１０Ａは、多孔質ハニカム枠１５を形成する各壁１７の長さ寸法Ｌ１が前記範囲にあり、通気孔１６の面積Ｓ１が前記範囲にあるから、ハニカム枠１５が通気孔１６を通過する空気の抵抗となることはなく、扇風機１１から所定量の空気をスムーズに送風することができるとともに、ハニカム枠１５に十分な量の空気を接触させることができ、空気に含まれる臭気成分やたばこ臭、ノネナール臭を脱臭リング１０Ａ（ハニカム枠１５を作る活性炭粉末の集合物）に確実に吸着させることができる。
【００５２】
脱臭リング１０Ａでは、それら多孔質ハニカム枠１５を形成する各壁１７の前後方向への延出寸法Ｍ１が１〜７ｍｍの範囲にある。各ハニカム枠１５における各壁１７の延出寸法Ｍ１は同一である。ハニカム枠１５の各壁１７の延出寸法Ｍ１が１ｍｍ未満では、ハニカム枠１５の厚みが薄く、ハニカム枠１５の比表面積を大きくすることができず、ハニカム枠１５に接触する空気の量が少なくなり、脱臭リング１０Ａ（ハニカム枠１５）を利用して空気に含まれる臭気成分やたばこ臭、ノネナール臭を取り除くことができない。ハニカム枠１５の各壁１７の延出寸法Ｍ１が７ｍｍを超過すると、ハニカム枠１５の延出寸法Ｍ１が必要以上に大きくなり、ハニカム枠１５が通気孔１６を通過する空気の抵抗となり、扇風機１１から所定量の空気をスムーズに送風することができない場合がある。
【００５３】
脱臭リング１０Ａは、多孔質ハニカム枠１５を形成する各壁１７の延出寸法Ｍ１が前記範囲にあるから、ハニカム枠１５が通気孔１６を通過する空気の抵抗となることはなく、扇風機１１から所定量の空気をスムーズに送風することができるとともに、ハニカム枠１５に十分な量の空気を接触させることができ、空気に含まれる臭気成分やたばこ臭、ノネナール臭を脱臭リング１０Ａ（ハニカム枠１５を作る活性炭粉末の集合物）に確実に吸着させることができる。
【００５４】
脱臭リング１０Ａの多孔質ハニカム枠１５のうち、内周縁部１２の側に形成されたハニカム枠１５（内周縁部１２と外周縁部１３との間に延びる脱臭リング１０Ａの径方向の寸法を二等分した場合は内周縁部１２の側に延びる脱臭リング１０Ａの内側領域に形成されたハニカム枠１５（脱臭リング１０Ａの内側１／２のハニカム枠１５）、または、内周縁部１２と外周縁部１３との間に延びる脱臭リング１０Ａの径方向の寸法を三等分した場合は内周縁部１２の側に延びる脱臭リング１０Ａの最も内側領域に形成されたハニカム枠１５（脱臭リング１０Ａの内側１／３のハニカム枠１５））には、臭気成分やたばこ臭、ノネナール臭を酸化分解する脱臭触媒が担持されている。なお、脱臭リング１０Ａのハニカム枠１５に脱臭触媒が担持されていなくてもよい。
【００５５】
臭気成分を酸化分解する脱臭触媒には、銅イオン担持ゼオライトの脱臭触媒、活性二酸化マンガン−銅イオン担持ゼオライトの脱臭触媒、酸化銅（酸化銅または亜酸化銅）−銅イオン担持ゼオライトの脱臭触媒、活性二酸化マンガン−銅イオン担持ゼオライト−銅酸化物（酸化銅または亜酸化銅）の脱臭触媒、酸化ルテニウムを含むルテニウム触媒等の既存のそれらを使用することができる。
【００５６】
銅イオン担持ゼオライトの脱臭触媒の作製手順およびその触媒のハニカム枠１５への担持手順の一例は、以下のとおりである。銅イオン担持ゼオライトに水を加えてそれらを湿式混合した後、その水溶液にシリカゾルを混合して脱臭触媒塗料を作る。次に、その脱臭触媒塗料をハニカム枠１５に塗布した後、脱臭触媒塗料を乾燥させてハニカム枠１５の表面に脱臭触媒の被覆層を形成する。
【００５７】
活性二酸化マンガン−銅イオン担持ゼオライトの脱臭触媒の作製手順およびその触媒のハニカム枠１５への担持手順の一例は、以下のとおりである。活性二酸化マンガンに銅イオン担持ゼオライトを配合し、水を加えてそれらを湿式混合した後、その水溶液にシリカゾルを混合して脱臭触媒塗料を作る。次に、その脱臭触媒塗料をハニカム枠１５に塗布した後、脱臭触媒塗料を乾燥させてハニカム枠１５の表面に脱臭触媒の被覆層を形成する。
【００５８】
酸化銅（酸化銅または亜酸化銅）−銅イオン担持ゼオライトの脱臭触媒の作製手順およびその触媒のハニカム枠１５への担持手順の一例は、以下のとおりである。酸化銅（酸化銅または亜酸化銅）に銅イオン担持ゼオライトを配合し、水を加えてそれらを湿式混合した後、その水溶液にシリカゾルを混合して脱臭触媒塗料を作る。次に、その脱臭触媒塗料をハニカム枠１５に塗布した後、脱臭触媒塗料を乾燥させてハニカム枠１５の表面に脱臭触媒の被覆層を形成する。
【００５９】
活性二酸化マンガン−銅イオン担持ゼオライト−銅酸化物（酸化銅または亜酸化銅）の酸化分解性脱臭触媒の作製手順およびその触媒のハニカム枠１５への担持手順の一例は、以下のとおりである。活性二酸化マンガンに銅イオン担持ゼオライトと酸化銅または亜酸化銅とを配合し、水を加えて湿式混合した後、シリカゾルを加えて混合し、酸化分解性脱臭触媒塗料を作る。次に、その脱臭触媒塗料をハニカム枠１５に塗布した後、脱臭触媒塗料を乾燥させてハニカム枠１５の表面に脱臭触媒の被覆層を形成する。
【００６０】
ルテニウム触媒をハニカム枠１５に担持させるには、三塩化ルテニウム水和物（ＲｕＣｌ3 ・３Ｈ2 Ｏ）の水溶液をハニカム枠１５に塗布した後、その水溶液を乾燥させた後、ハニカム枠１５を約８０℃に加熱し、三塩化ルテニウムを酸化ルテニウムに酸化させる。酸化ルテニウムは、飽和炭化水素やオレフィン、ジオール、アセチレン、芳香環化合物、アルコール、エ−テル、有機硫黄化合物のような有機化合物に対して酸化作用を発揮する。特に、硫化水素やメルカプタン、アルデヒドのような低沸点で酸化分解され易い化合物だけではなく、たばこの煙の臭気成分であるイソプレン、ケトン類、低級有機酸類、フェノール類のように通常は酸化分解され難い有機化合物も酸化分解させることができる。
【００６１】
図８は、脱臭リング１０Ａを扇風機１１に取り付ける手順を説明する図である。図８では、ハニカム枠１５および通気孔１６の図示を一部省略している。扇風機１１に脱臭リング１０Ａを取り付けるには、扇風機１１の前方羽根ガード１８のクリップ１９を下方へ旋回させて前方羽根ガード１８と後方羽根ガード２０との係合を解除し、扇風機１１から前方羽根ガード１８を取り外すとともに、羽根２１を扇風機１１のモーター軸２２に固定するスピンナー２３を時計回り方向へ回転させてモーター軸２２の先端部からスピンナー２３を取り外す。次に、モーター軸２２の前方へ羽根２１を移動させ、羽根２１の軸孔をモーター軸２２から抜き取って羽根２１をモーター軸２２から取り外した後、ガード締付ナット２４を反時計回り方向へ回転させ、扇風機１１のモーターケース２５から前方へ延びる螺子パイプ２６とガード締付ナット２４との螺着を解除し、螺子パイプ２６からガード締付ナット２４を取り外す。
【００６２】
ガード締付ナット２４を螺子パイプ２６から取り外した後、脱臭リング１０Ａの中央開口１４をモーター軸２２に挿通するとともに、その中央開口１４を螺子パイプ２６に挿入する。なお、脱臭リング１０Ａの中央開口１４の直径は、螺子パイプ２６の直径よりもわずかに大きい。中央開口１４を螺子パイプ２６に挿入すると、脱臭リング１０Ａの内周縁部１２が後方羽根ガード２０の内周部２７に当接する。中央開口１４を螺子パイプ２６に挿入した後、螺子パイプ２６においてガード締付ナット２４を時計回り方向へ回転させ、そのガード締付ナット２４を螺子パイプ２６に再び螺着し、ガード締付ナット２４によって後方羽根ガード２０と脱臭リング１０Ａとをモーターケース２５に固定する。
【００６３】
次に、羽根２１の軸孔をモーター軸２２に挿通し、スピンナー２３を反時計回り方向へ回転させ、モーター軸２２の先端部にスピンナー２３を再び螺着して羽根２１をモーター軸２２に固定し、前方羽根ガード１８のガードリング２８と後方羽根ガード２０のガードリング２９との位置を合わせ、前方羽根ガード１８のクリップ１９を上方へ旋回させて前方羽根ガード１８と後方羽根ガード２０とを係合させる。脱臭リング１０Ａは、その内周縁部１２が後方羽根ガード２０の内周部２７とガード締付ナット２４とに挟まれた状態で扇風機１１（螺子パイプ２６）に固定される。
【００６４】
脱臭リング１０Ａを後方羽根ガード２０とガード締付ナット２４との間に取り付けると、脱臭リング１０Ａが羽根２１と後方羽根ガード２０との間に位置する。後方羽根ガード２０のガードバー３０は後方羽根ガード２０の内周部２７（モーター軸２２の側）から後方羽根ガード２０のガードリング２９（羽根２１の外周域）に向かうにつれて羽根２１に次第に近付くように前方へ湾曲している。したがって、脱臭リング１０Ａを扇風機１１に取り付けると、脱臭リング１０Ａのそれら多孔質ハニカム枠１５が後方羽根ガード２０の湾曲するガードバー３０に沿って位置する。
【００６５】
扇風機１１に脱臭リング１０Ａを取り付けた後、扇風機１１のスイッチをＯＮにすると、モーターによってモーター軸２２が回転するとともに、羽根２１が回転し、空気が後方羽根ガード２０の後方から扇風機１１に進入する。後方羽根ガード２０の後方から扇風機１１に進入した空気は、脱臭リング１０Ａの通気孔１６を通って扇風機１１の前方へ送風される。
【００６６】
空気は、脱臭リング１０Ａを通過するときに、各多孔質ハニカム枠１５に接触し、空気に含まれる臭気成分（アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトン）やたばこ臭、ノネナール臭がそれらハニカム枠１５に吸着される。なお、脱臭リング１０Ａの内周縁部１２の側に延びるハニカム枠１５に脱臭触媒が担持されている場合、空気に含まれる臭気成分やたばこ臭、ノネナール臭が脱臭触媒によって酸化分解される。
【００６７】
脱臭リング１０Ａは、扇風機１１の羽根２１が回転すると、後方羽根ガード２０から扇風機１１に進入した空気が脱臭リング１０Ａの通気孔１６を通って扇風機１１の前方へ送風されるが、空気が扇風機１１を通過するときに、その空気が脱臭リング１０Ａの各ハニカム枠１５に接触するから、空気に含まれる臭気成分やたばこ臭、ノネナール臭をそれらハニカム枠１５に吸着させることができる。
【００６８】
脱臭リング１０Ａは、それら多孔質ハニカム枠１５が後方羽根ガード２０のガードバー３０に沿って位置し、それらハニカム枠１５が後方羽根ガード２０の湾曲するガードバー３０に並行するから、後方羽根ガード２０から扇風機１１に進入した空気が脱臭リング１０Ａの全域を満遍なく通過し、空気を脱臭リング１０Ａ全域のハニカム枠１５に接触させることができ、空気に含まれる臭気成分やたばこ臭、ノネナール臭を脱臭リング１０Ａ全域のそれらハニカム枠１５によって確実に取り除くことができる。
【００６９】
脱臭リング１０Ａは、扇風機１１に好適に使用され、空気に含まれる臭気成分やたばこ臭、ノネナール臭がハニカム枠１５によって除去されるから、扇風機１１を利用して清浄な空気を作ることができ、扇風機１１による送風と同時に清浄な空気を扇風機１１の前方へ送気することができる。
【００７０】
図９は、他の一例として示す脱臭リング１０Ｂの部分拡大平面図であり、図１０は、図９の脱臭リング１０Ｂの多孔質ハニカム枠１５および通気孔１６の部分拡大斜視図である。図１１は、軸線Ｎと壁１７との関係を表す図である。脱臭リング１０Ｂは、図１のそれと同様に、扇風機１１（後方羽根ガード２０の直前）に着脱可能に取り付けられる扇風機用であり、扇風機１１を通過する空気に含まれる臭気の除去に好適に使用される。脱臭リング１０Ｂは、環状に延びる内周縁部１２と、環状に延びる外周縁部１３と、内周縁部１２に囲繞された円形の中央開口１４と、ハニカム形状に成形された複数の多孔質ハニカム枠１５と、ハニカム枠１５に囲繞されたハニカム形状の複数の通気孔１６とを有する（図１，２援用）。
【００７１】
脱臭リング１０Ｂでは、内周縁部１２および外周縁部１３とそれら多孔質ハニカム枠１５とが一体に成形されている。脱臭リング１０Ｂは、加熱溶融させた熱可塑性合成樹脂（バインダー）と活性炭粉末とを混合した混合物を所定の金型（型）に流し込み、樹脂を固化させることから作られている。活性炭粉末は、図１の脱臭リング１０Ａに使用するそれと同一であり、熱可塑性合成樹脂に対する活性炭粉末の混合割合は、図１の脱臭リング１０Ａのそれと同一である。
【００７２】
脱臭リング１０Ｂのハニカム枠１５を形成する各壁１７の長さ寸法Ｌ１や通気孔１６の面積Ｓ１、ハニカム枠１５の各壁１７の前後方向への延出寸法Ｍ１は、図１の脱臭リング１０Ａのそれらと同一である。各ハニカム枠１５における各壁１７の長さ寸法Ｌ１や各通気孔１６の面積Ｓ１、各ハニカム枠１５における各壁１７の延出寸法Ｍ１は同一である。脱臭リング１０Ｂでは、図１のそれと同様に、内周縁部１２の側に形成されたハニカム枠１５に臭気成分を酸化分解する脱臭触媒が担持されていてもよく、ハニカム枠１５に脱臭触媒が担持されていなくてもよい。脱臭触媒は、脱臭具１０Ａに使用するそれと同一である。
【００７３】
脱臭リング１０Ｂは、外周縁部１３から内周縁部１２に向かって前後方向後方（扇風機１１の後方）へ凸となるように弧を画き、外周縁部１３から内周縁部１２に向かって湾曲している。それらハニカム枠１５は、内周縁部１２と外周縁部１５との間において一連につながっている。ハニカム枠１５は、それらのすべてが同形同大に作られ、通気孔１６は、それらのすべてが同形同大に作られている。
【００７４】
脱臭リング１０Ｂでは、それら多孔質ハニカム枠１５を形成する各壁１７が脱臭リング１０Ｂの前後方向へ延びる軸線Ｎに対して前後方向へ向かって所定の角度で傾斜している。ハニカム枠１５の各壁１７は同一方向へ傾斜し、それら各壁１７が並行している。軸線Ｎに対する各壁１７の傾斜角度αは、２０〜４５度の範囲、好ましくは、２０〜３０度の範囲である。
【００７５】
扇風機１１への脱臭リング１０Ｂの取り付け手順は、図１の脱臭リング１０Ａのそれと同一である（図８参照）。脱臭リング１０Ａを後方羽根ガード２０とガード締付ナット２４との間に取り付けると、脱臭リング１０Ａが羽根２１と後方羽根ガード２０との間に位置し、それらハニカム枠１５が後方羽根ガード２０の湾曲するガードバー３０に沿って位置する。
【００７６】
扇風機１１の羽根２１が回転すると、後方羽根ガード２０の後方から扇風機１１に進入した空気が脱臭リング１０Ｂの通気孔１６を通って扇風機１１の前方へ送風されるが、空気が脱臭リング１０Ｂを通過するときに、各壁１７が軸線Ｎに対して前後方向へ前記角度で傾斜する各ハニカム枠１５に接触し、空気に含まれる臭気成分やたばこ臭、ノネナール臭がそれらハニカム枠１５に吸着される。脱臭リング１０Ｂの内周縁部１２の側に延びるハニカム枠１５に脱臭触媒が担持されている場合、空気に含まれる臭気成分やたばこ臭、ノネナール臭が脱臭触媒によって酸化分解される。
【００７７】
脱臭リング１０Ｂは、空気が通気孔１６を通過するときに、各壁１７が軸線Ｎに対して前後方向へ前記角度で傾斜するハニカム枠１５に空気が確実に接触するから、空気に含まれる臭気成分やたばこ臭、ノネナール臭をそれらハニカム枠１５に吸着させることができ、空気に含まれる臭気成分やたばこ臭、ノネナール臭をハニカム枠１５によって確実に取り除くことができる。脱臭リング１０Ｂは、扇風機１１に好適に使用され、各壁１７が軸線Ｎに対して前後方向へ傾斜するハニカム枠１５によって空気に含まれる臭気成分やたばこ臭、ノネナール臭が除去されるから、扇風機１１を利用して清浄な空気を作ることができ、扇風機１１による送風と同時に清浄な空気を扇風機１１の前方へ送気することができる。
【００７８】
図１２は、他の一例として示す脱臭リング１０Ｃの斜視図であり、図１３は、図１２の脱臭リング１０Ｃを取り付けた扇風機１１の側面図である。図１２では、ハニカム枠１５および通気孔１６の図示を一部省略している。脱臭リング１０Ｃは、図１のそれと同様に、扇風機１１（後方羽根ガード２０の直前）に着脱可能に取り付けられる扇風機用であり、扇風機１１を通過する空気に含まれる臭気の除去に好適に使用される。脱臭リング１０Ｃは、環状に延びる内周縁部１２と、環状に延びる外周縁部１３と、内周縁部１２に囲繞された円形の中央開口１４と、ハニカム形状に成形された複数の多孔質ハニカム枠１５と、ハニカム枠１５に囲繞されたハニカム形状の複数の通気孔１６とを有する。
【００７９】
脱臭リング１０Ｃでは、内周縁部１２および外周縁部１３とそれら多孔質ハニカム枠１５とが一体に成形されている。脱臭リング１０Ｃは、加熱溶融させた熱可塑性合成樹脂（バインダー）と活性炭粉末とを混合した混合物を所定の金型（型）に流し込み、樹脂を固化させることから作られている。活性炭粉末は、図１の脱臭リング１０Ａに使用するそれと同一であり、熱可塑性合成樹脂に対する活性炭粉末の混合割合は、図１の脱臭リング１０Ａのそれと同一である。
【００８０】
脱臭リング１０Ｃのハニカム枠１５を形成する各壁１７の長さ寸法Ｌ１や通気孔の面積Ｓ１、ハニカム枠１５の各壁１７の前後方向への延出寸法Ｍ１は、図１の脱臭リング１０Ａのそれらと同一である。各ハニカム枠１５における各壁１７の長さ寸法Ｌ１や各通気孔１６の面積Ｓ１、各ハニカム枠１５における各壁１７の延出寸法Ｍ１は同一である。
【００８１】
脱臭リング１０Ｃでは、図１のそれと同様に、内周縁部１２の側に形成されたハニカム枠１５に臭気成分を酸化分解する脱臭触媒が担持されていてもよく、ハニカム枠１５に脱臭触媒が担持されていなくてもよい。脱臭触媒は、脱臭具１０Ａに使用するそれと同一である。また、図１２のそれと同様に、それら多孔質ハニカム枠１５を形成する各壁１７が脱臭リング１０Ｃの前後方向へ延びる軸線Ｎに対して前後方向へ向かって所定の角度で傾斜していてもよい。この場合、ハニカム枠１５の各壁１７は同一方向へ傾斜し、それら各壁１７が並行する。軸線Ｎに対するハニカム枠１５の各壁１７の傾斜角度αは、２０〜４５度の範囲、好ましくは、２０〜３０度の範囲である（図１１参照）。
【００８２】
脱臭リング１０Ｃでは、それらハニカム枠１５が内周縁部１２と外周縁部１３との間において一連につながっているとともに、内周縁部１２から外周縁部１３に向かって直線状（直状）に連なっている。したがって、脱臭リング１０Ｃが湾曲することなく、内周縁部１２と外周縁部１３との間で一直線に延びている。ハニカム枠１５は、それらのすべてが同形同大に作られ、通気孔１６は、それらのすべてが同形同大に作られている。
【００８３】
扇風機１１への脱臭リング１０Ｃの取り付け手順は、図１の脱臭リング１０Ａのそれと同一である（図８参照）。脱臭リング１０Ｃを後方羽根ガード２０とガード締付ナット２４との間に取り付けると、脱臭リング１０Ｃが羽根２１と後方羽根ガード２０との間に位置し、それらハニカム枠１５が径方向へ直状に延びる後方羽根ガード２０のガードバー３０に沿って位置する。
【００８４】
扇風機１１の羽根２１が回転すると、後方羽根ガード２０の後方から扇風機１１に進入した空気が脱臭リング１０Ｃの通気孔１６を通って扇風機１１の前方へ送風されるが、空気が脱臭リング１０Ｃを通過するときに各ハニカム枠１５に接触し、空気に含まれる臭気成分やたばこ臭、ノネナール臭がそれらハニカム枠１５に吸着される。脱臭リング１０Ｃの内周縁部１２の側に延びるハニカム枠１５に脱臭触媒が担持されている場合、空気に含まれる臭気成分やたばこ臭、ノネナール臭が脱臭触媒によって酸化分解される。
【００８５】
脱臭リング１０Ｃは、空気が通気孔１６を通過するときにハニカム枠１５（各壁１７が軸線Ｎに対して前後方向へ所定の角度で傾斜する場合を含む）に接触するから、空気に含まれる臭気成分やたばこ臭、ノネナール臭をそれらハニカム枠１５に吸着させることができ、空気に含まれる臭気成分やたばこ臭、ノネナール臭をハニカム枠１５によって確実に取り除くことができる。脱臭リング１０Ｃは、扇風機１１に好適に使用され、ハニカム枠１５によって空気に含まれる臭気成分やたばこ臭、ノネナール臭が除去されるから、扇風機１１を利用して清浄な空気を作ることができ、扇風機１１による送風と同時に清浄な空気を扇風機１１の前方へ送気することができる。
【００８６】
図１４は、他の一例として示す脱臭リング１０Ｄの正面図であり、図１５は、図１４の脱臭リング１０Ｄの斜視図である。図１６は、図１４の脱臭リング１０Ｄの内側脱臭リング３１および外側脱臭リング３２の部分拡大斜視図であり、図１７は、図１４の脱臭リング１０Ｄを設置した扇風機１１の正面図である。図１８は、図１４の脱臭リング１０Ｄを設置した扇風機１１の背面斜視図である。図１５，１８では、ハニカム枠１５Ａ，１５Ｂおよび通気孔１６Ａ，１６Ｂの図示を一部省略している。
【００８７】
脱臭リング１０Ｄは、扇風機１１（後方羽根ガード２０の直前）に着脱可能に取り付けられる扇風機用であり、扇風機１１を通過する空気に含まれる臭気の除去に好適に使用される。脱臭リング１０Ｄは、環状に延びる内周縁部１２と、環状に延びる外周縁部１３と、内周縁部１２に囲繞された円形の中央開口１４とを有する。脱臭リング１０Ｄは、内周縁部１２の側に位置する内側脱臭リング３１と、外周縁部１３の側に位置する外側脱臭リング３２とから形成されている。内側脱臭リング３１と外側脱臭リング３２とは、それらリング３１，３２の間に延びる環状の連結部３３によって連結されている。
【００８８】
内側脱臭リング３１は、ハニカム形状（正六角形）に成形された複数の多孔質ハニカム枠１５Ａと、ハニカム枠１５Ａに囲繞されたハニカム形状の複数の通気孔１６Ａとを有する。内側脱臭リング３１は、連結部３３から内周縁部１２に向かって前後方向後方（扇風機１１の後方）へ凸となるように弧を画き、連結部３３から内周縁部１２に向かって湾曲している。それらハニカム枠１５Ａは、内周縁部１２と連結部３３との間において一連につながっている。ハニカム枠１５Ａは、それらのすべてが同形同大に作られ、通気孔１６Ａは、それらのすべてが同形同大に作られている。
【００８９】
外側脱臭リング３２は、ハニカム形状（正六角形）に成形された複数の多孔質ハニカム枠１５Ｂと、ハニカム枠１５Ｂに囲繞されたハニカム形状の複数の通気孔１６Ｂとを有する。外側脱臭リング３２は、外周縁部１３から連結部３３に向かって前後方向後方（扇風機１１の後方）へ凸となるように弧を画き、外周縁部１３から連結部３３に向かって湾曲している。したがって、脱臭リング１０Ｄは、外周縁部１３から内周縁部１２に向かって前後方向後方（扇風機１１の後方）へ凸となるように弧を画き、外周縁部１３から内周縁部１２に向かって湾曲している。それらハニカム枠１５Ｂは、連結部３３と外周縁部１３との間において一連につながっている。ハニカム枠１５Ｂは、それらのすべてが同形同大に作られ、通気孔１６Ｂは、それらのすべてが同形同大に作られている。
【００９０】
脱臭リング１０Ｄでは、内周縁部１２および外周縁部１３、内側脱臭リング３１の多孔質ハニカム枠１５Ａ、外側脱臭リング３２のそれら多孔質ハニカム枠１５Ｂ、連結部３３が一体に成形されている。脱臭リング１０Ｄは、加熱溶融させた熱可塑性合成樹脂（バインダー）と活性炭粉末とを混合した混合物を所定の金型（型）に流し込み、樹脂を固化させることから作られている。活性炭粉末は、図１の脱臭リング１０Ａに使用するそれと同一であり、熱可塑性合成樹脂に対する活性炭粉末の混合割合は、図１の脱臭リング１０Ａのそれと同一である。
【００９１】
脱臭リング１０Ｄでは、外側脱臭リング３２の各ハニカム枠１５Ｂの大きさが内側脱臭リング３１の各ハニカム枠１５Ａのそれよりも大きく（外側脱臭リング３２のハニカム枠１５Ｂの各壁１７の長さ寸法Ｌ３が内側脱臭リング３１のハニカム枠１５Ａの各壁１７の長さ寸法Ｌ２よりも大きく）、外側脱臭リング３２のハニカム枠１５Ｂに囲繞された通気孔１６Ｂの面積Ｓ３が内側脱臭リング３１のハニカム枠１５Ａに囲繞された通気孔１６Ａの面積Ｓ２よりも大きい。脱臭リング１０Ｄでは、多孔質ハニカム枠１５Ａの大きさが外側脱臭リング３２のそれよりも小さい内側脱臭リング３１においてハニカム枠１５Ａが密に形成される。したがって、内側脱臭リング３１の単位面積当たりに形成されるハニカム枠１５Ａの数が外側脱臭リング３２の単位面積当たりに形成されるハニカム枠１５Ｂのそれよりも多い。
【００９２】
脱臭リング１０Ｄは、外側脱臭リング３２のハニカム枠１５Ｂの各壁１７の前後方向への延出寸法Ｍ３が内側脱臭リング３１のハニカム枠１５Ａの各壁１７の前後方向への延出寸法Ｍ２よりも大きい。外側脱臭リング３２の各ハニカム枠１５Ｂの大きさが内側脱臭リング３１の各ハニカム枠１５Ａのそれよりも大きいが、外側脱臭リング３２のハニカム枠１５Ｂの延出寸法Ｍ３を内側脱臭リング３１のハニカム枠１５Ａのそれよりも大きくすることで、外側脱臭リング３２のハニカム枠１５Ｂの比表面積を大きくすることができ、脱臭リング３２の脱臭機能を向上させることができる。
【００９３】
内側脱臭リング３１では、それらハニカム枠１５Ａを形成する各壁１７の長さ寸法Ｌ２が１〜２．５ｍｍの範囲にあり、ハニカム枠１５Ａに囲繞された通気孔１６Ａの面積Ｓ２が４．４９９〜２８．１２ｍｍ２の範囲にある。外側脱臭リング３２では、それらハニカム枠１５Ｂを形成する各壁１７の長さ寸法Ｌ３が２〜５ｍｍの範囲にあり、ハニカム枠１５Ｂに囲繞された通気孔１６Ｂの面積Ｓ３が１７．９９〜１１２．４９ｍｍ２の範囲にある。各ハニカム枠１５Ａにおける各壁１７の長さ寸法Ｌ２や各通気孔１６Ａの面積Ｓ２は同一であり、各ハニカム枠１５Ｂにおける各壁１７の長さ寸法Ｌ３や各通気孔１６Ｂの面積Ｓ３は同一である。
【００９４】
内側脱臭リング３１のハニカム枠１５Ａの各壁１７の長さ寸法Ｌ２が１ｍｍ未満であって通気孔１６Ａの面積Ｓ２が４．４９９ｍｍ２未満では、通気孔１６Ａの開口面積が小さく、内側脱臭リング３１においてハニカム枠１５Ａが密集し、内側脱臭リング３１のハニカム枠１５Ａが通気孔１６Ａを通過する空気の抵抗となり、扇風機１１から所定量の空気をスムーズに送風することができない場合がある。外側脱臭リング３２のハニカム枠１５Ｂの各壁１７の長さ寸法Ｌ３が５ｍｍを超過するとともに通気孔１６Ｂの面積Ｓ３が１１２．４９ｍｍ２を超過すると、通気孔１６Ｂの開口面積が必要以上に大きくなり、外側脱臭リング３２に形成されるハニカム枠１５Ｂの数が少なく、ハニカム枠１５Ｂに十分な量の空気を接触させることができず、脱臭リング１０Ｄ（ハニカム枠１５Ｂ）を利用して空気に含まれる臭気成分やたばこ臭、ノネナール臭を取り除くことができない。
【００９５】
内側脱臭リング３１や外側脱臭リング３２の各ハニカム枠１５Ａ，１５Ｂの各壁１７の長さ寸法Ｌ２，Ｌ３が前記範囲にあり、通気孔１６Ａ，１６Ｂの面積Ｓ２，Ｓ３が前記範囲にあるから、ハニカム枠１５Ａ，１５Ｂが通気孔１６Ａ，１６Ｂを通過する空気の抵抗となることはなく、扇風機１１から所定量の空気をスムーズに送風することができるとともに、ハニカム枠１５Ａ，１５Ｂに十分な量の空気を接触させることができ、空気に含まれる臭気成分やたばこ臭、ノネナール臭を脱臭リング１０Ｄ（ハニカム枠１５Ａ，１５Ｂを作る活性炭粉末の集合物）に確実に吸着させることができる。
【００９６】
内側脱臭リング３１は、ハニカム枠１５Ａの各壁１７の前後方向への延出寸法Ｍ２が１〜４ｍｍの範囲にあり、外側脱臭リング３２は、ハニカム枠１５Ｂの各壁１７の前後方向への延出寸法Ｍ３が４〜７ｍｍの範囲にある。各ハニカム枠１５Ａにおける各壁１７の延出寸法Ｍ２は同一であり、各ハニカム枠１５Ｂにおける各壁１７の延出寸法Ｍ３は同一である。
【００９７】
内側脱臭リング３１のハニカム枠１５Ａの各壁１７の延出寸法Ｍ２が１ｍｍ未満では、ハニカム枠１５Ａの厚みが薄く、ハニカム枠１５Ａの比表面積を大きくすることができず、ハニカム枠１５Ａに接触する空気の量が少なくなり、脱臭リング１０Ｄ（ハニカム枠１５Ａ，１５Ｂを作る活性炭粉末の集合物）を利用して空気に含まれる臭気成分やたばこ臭、ノネナール臭を取り除くことができない。外側脱臭リング３２のハニカム枠１５Ｂの各壁１７の延出寸法Ｍ３が５ｍｍを超過すると、ハニカム枠１５Ｂの厚み寸法Ｍ３が必要以上に大きくなり、ハニカム枠１５Ｂが通気孔１６Ｂを通過する空気の抵抗となり、扇風機１１から所定量の空気をスムーズに送風することができない場合がある。
【００９８】
内側脱臭リング３１や外側脱臭リング３２のハニカム枠１５Ａ，１５Ｂの延出寸法Ｍ２，Ｍ３が前記範囲にあるから、ハニカム枠１５Ａ，１５Ｂが通気孔１６Ａ，１６Ｂを通過する空気の抵抗となることはなく、扇風機１１から所定量の空気をスムーズに送風することができるとともに、ハニカム枠１５Ａ，１５Ｂに十分な量の空気を接触させることができ、空気に含まれる臭気成分やたばこ臭、ノネナール臭を脱臭リング１０Ｄ（ハニカム枠１５Ａ，１５Ｂを作る活性炭粉末の集合物）に確実に吸着させることができる。脱臭リング１０Ｄでは、外側脱臭リング３２のハニカム枠１５Ｂに臭気成分を酸化分解する脱臭触媒が担持されていてもよく、外側脱臭リング３２のハニカム枠１５Ｂに脱臭触媒が担持されていなくてもよい。脱臭触媒は、脱臭具１０Ａに使用するそれと同一である。
【００９９】
扇風機１１への脱臭リング１０Ｄの取り付け手順は、図１の脱臭リング１０Ａのそれと同一である（図８参照）。脱臭リング１０Ｄを後方羽根ガード２０とガード締付ナット２４との間に取り付けると、脱臭リング１０Ｄが羽根２１と後方羽根ガード２０との間に位置し、内側脱臭リング３１や外側脱臭リング３２のそれらハニカム枠１５Ａ，１５Ｂが後方羽根ガード２０の湾曲するガードバー３０に沿って位置する。
【０１００】
扇風機１１の羽根２１が回転すると、後方羽根ガード２０の後方から扇風機１１に進入した空気が脱臭リング１０Ｄの通気孔１６を通って扇風機１１の前方へ送風されるが、空気が脱臭リング１０Ｄを通過するときに、その空気が内側脱臭リング３１や外側脱臭リング３２の各ハニカム枠１５Ａ，１５Ｂに接触し、空気に含まれる臭気成分やたばこ臭、ノネナール臭がそれらハニカム枠１５Ａ，１５Ｂに吸着される。外側脱臭リング３２のハニカム枠１５Ｂに脱臭触媒が担持されている場合、空気に含まれる臭気成分やたばこ臭、ノネナール臭が脱臭触媒によって酸化分解される。
【０１０１】
脱臭リング１０Ｄは、扇風機１１の羽根２５の中心域よりも羽根２５の外周域での空気の流れが強くなるが、外側脱臭リング３２の各ハニカム枠１５Ｂの大きさを内側脱臭リング３１の各ハニカム枠１５Ａのそれよりも大きくすることで、外側脱臭リング３２のハニカム枠１５Ｂが扇風機１１に進入する空気の障害になることはなく、扇風機１１に空気をスムーズに流入させることができるとともに、空気が脱臭リング３１，３２を通過するときに、大きさが小さいハニカム枠１５Ａや延出寸法Ｍ３が大きい各ハニカム枠１５Ｂに接触するから、それらハニカム枠１５Ａ，１５Ｂによって臭気成分やたばこ臭、ノネナール臭が除去された清浄な空気を円滑に送風することができる。
【０１０２】
脱臭リング１０Ｄは、外側脱臭リング３２の各ハニカム枠１５Ｂに空気を接触させることで、脱臭リング１５Ｂにおいて空気に含まれる臭気を取り除くことができる他、ハニカム枠１５Ａの大きさが外側脱臭リング３２のそれよりも小さい内側脱臭リング３１においてハニカム枠１５Ａが密に形成され、脱臭リング３１の単位面積当たりにおけるハニカム枠１５Ａの数が多いから、脱臭リング３１に多くの臭気成分やたばこ臭、ノネナール臭を吸着させることができ、空気に含まれる臭気成分やたばこ臭、ノネナール臭をそれらハニカム枠１５Ａ，１５Ｂにおいて確実に取り除くことができる。
【０１０３】
脱臭リング１０Ｄは、延出寸法Ｍ３が大きい外側脱臭リング３２のハニカム枠１５Ｂや大きさが小さい内側脱臭リング３１のハニカム枠１５Ａに空気を接触させることで、各ハニカム枠１５Ａ，１５Ｂに多くの臭気成分やたばこ臭、ノネナール臭を吸着させることができるから、扇風機１１による送風と同時に清浄な空気を扇風機１１の前方へ送気することができる。
【０１０４】
図１９は、他の一例として示す脱臭リング１０Ｅの部分拡大平面図であり、図２０は、図１９の脱臭リング１０Ｅの内側脱臭リング３１および外側脱臭リング３２の部分拡大斜視図である。脱臭リング１０Ｅは、扇風機１１（後方羽根ガード２０の直前）に着脱可能に取り付けられる扇風機用であり、扇風機１１を通過する空気に含まれる臭気の除去に好適に使用される。脱臭リング１０Ｅは、環状に延びる内周縁部１２と、環状に延びる外周縁部１３と、内周縁部１２に囲繞された円形の中央開口１４とを有する。脱臭リング１０Ｅは、内周縁部１２の側に位置する内側脱臭リング３１と、外周縁部１３の側に位置する外側脱臭リング３２とから形成されている。内側脱臭リング３１と外側脱臭リング３２とは、連結部３３によって連結されている。脱臭リング１０Ｅは、外周縁部１３から内周縁部１２に向かって前後方向後方へ凸となるように弧を画き、外周縁部１３から内周縁部１２に向かって湾曲している（図１４，１５援用）。
【０１０５】
内側脱臭リング３１は、脱臭リング１０Ｄと同様に、複数の多孔質ハニカム枠１５Ａと複数の通気孔１６Ａとを有し、連結部３３から内周縁部１２に向かって前後方向後方へ凸となるように弧を画いている。各ハニカム枠１５Ａは、それらのすべてが同形同大に作られ、内周縁部１２と連結部３３との間において一連につながっている。通気孔１６Ａは、それらのすべてが同形同大に作られている。外側脱臭リング３２は、複数の多孔質ハニカム枠１５Ｂと複数の通気孔１６Ｂとを有し、外周縁部１３から連結部３３に向かって前後方向後方へ凸となるように弧を画いている。各ハニカム枠１５Ｂは、それらのすべてが同形同大に作られ、連結部３３と外周縁部１３との間において一連につながっている。通気孔１６Ｂは、それらのすべてが同形同大に作られている。
【０１０６】
脱臭リング１０Ｅでは、内周縁部１２、外周縁部１３、それら多孔質ハニカム枠１５Ａ，１５Ｂ、連結部３３が一体に成形されている。脱臭リング１０Ｅは、加熱溶融させた熱可塑性合成樹脂（バインダー）と活性炭粉末とを混合した混合物を所定の金型（型）に流し込み、樹脂を固化させることから作られている。活性炭粉末は、図１の脱臭リング１０Ａに使用するそれと同一であり、熱可塑性合成樹脂に対する活性炭粉末の混合割合は、図１の脱臭リング１０Ａのそれと同一である。
【０１０７】
脱臭リング１０Ｅでは、外側脱臭リング３２の各ハニカム枠１５Ｂの大きさが内側脱臭リング３１の各ハニカム枠１５Ａのそれよりも大きく（ハニカム枠１５Ｂの各壁１７の長さ寸法Ｌ３がハニカム枠１５Ａの各壁１７の長さ寸法Ｌ２よりも大きく）、外側脱臭リング３２の通気孔１６Ｂの面積Ｓ３が内側脱臭リング３１の通気孔１６Ａの面積Ｓ２よりも大きい。脱臭リング１０Ｅでは、内側脱臭リング３１においてハニカム枠１５Ａが密に形成され、内側脱臭リング３１の単位面積当たりに形成されるハニカム枠１５Ａの数が外側脱臭リング３２の単位面積当たりに形成されるハニカム枠１５Ｂのそれよりも多い。
【０１０８】
脱臭リング１０Ｅでは、ハニカム枠１５Ｂの各壁１７の前後方向への延出寸法Ｍ３がハニカム枠１５Ａの各壁１７の前後方向への延出寸法Ｍ２よりも大きい。各ハニカム枠１５Ｂの大きさが各ハニカム枠１５Ａのそれよりも大きいが、ハニカム枠１５Ｂの延出寸法Ｍ３をハニカム枠１５Ａのそれよりも大きくすることで、ハニカム枠１５Ｂの比表面積を大きくすることができ、外側脱臭リング３２の脱臭機能を向上させることができる。
【０１０９】
ハニカム枠１５Ａを形成する各壁１７の長さ寸法Ｌ２やハニカム枠１５Ｂを形成する各壁１７の長さ寸法Ｌ３、通気孔１６Ａの面積Ｓ２、通気孔１６Ｂの面積Ｓ３、ハニカム枠１５Ａの各壁１７の前後方向への延出寸法Ｍ２、ハニカム枠１５Ｂの各壁１７の前後方向への延出寸法Ｍ３は、図１４の脱臭リング１０Ｄのそれらと同一である。各ハニカム枠１５Ａにおける各壁１７の長さ寸法Ｌ２や各通気孔１６Ａの面積Ｓ２は同一であり、各ハニカム枠１５Ｂにおける各壁１７の長さ寸法Ｌ３や各通気孔１６Ｂの面積Ｓ３は同一である。各ハニカム枠１５Ａにおける各壁１７の延出寸法Ｍ２は同一であり、各ハニカム枠１５Ｂにおける各壁１７の延出寸法Ｍ３は同一である。
【０１１０】
脱臭リング１０Ｅでは、外側脱臭リング３２のハニカム枠１５Ｂに臭気成分を酸化分解する脱臭触媒が担持されていてもよく、外側脱臭リング３２のハニカム枠１５Ｂに脱臭触媒が担持されていなくてもよい。脱臭触媒は、脱臭具１０Ａに使用するそれと同一である。脱臭リング１０Ｅでは、外側脱臭リング３２のそれら多孔質ハニカム枠１５Ｂを形成する各壁１７が脱臭リング１０Ｅの前後方向へ延びる軸線Ｎに対して前後方向へ向かって所定の角度で傾斜している。ハニカム枠１５Ｂの各壁１７は同一方向へ傾斜し、それら各壁１７が並行している。軸線Ｎに対するハニカム枠１５Ｂの各壁１７の傾斜角度αは、２０〜４５度の範囲、好ましくは、２０〜３０度の範囲である（図１１参照）。
【０１１１】
扇風機１１への脱臭リング１０Ｅの取り付け手順は、図１の脱臭リング１０Ａのそれと同一である（図８参照）。脱臭リング１０Ｅを後方羽根ガード２０とガード締付ナット２４との間に取り付けると、脱臭リング１０Ｅが羽根２１と後方羽根ガード２０との間に位置し、内側脱臭リング３１や外側脱臭リング３２のそれらハニカム枠１５Ａ，１５Ｂが後方羽根ガード２０の湾曲するガードバー３０に沿って位置する。
【０１１２】
扇風機１１の羽根２１が回転すると、後方羽根ガード２０の後方から扇風機１１に進入した空気が脱臭リング１０Ｅの通気孔１６Ａ，１６Ｂを通って扇風機１１の前方へ送風されるが、空気が脱臭リング１０Ｅを通過するときに、内側脱臭リング３１の各ハニカム枠１５Ａや各壁１７が軸線Ｎに対して前後方向へ前記角度で傾斜する外側脱臭リング３２の各ハニカム枠１５Ｂに接触し、空気に含まれる臭気成分やたばこ臭、ノネナール臭がそれらハニカム枠１５Ａ，１５Ｂに吸着される。外側脱臭リング３２のハニカム枠１５Ｂに脱臭触媒が担持されている場合、空気に含まれる臭気成分やたばこ臭、ノネナール臭が脱臭触媒によって酸化分解される。
【０１１３】
脱臭リング１０Ｅは、外側脱臭リング３２の各ハニカム枠１５Ｂに空気を接触させることで、脱臭リング１５Ｂにおいて空気に含まれる臭気を取り除くことができる他、内側脱臭リング３１においてハニカム枠１５Ａが密に形成され、脱臭リング３１の単位面積当たりにおけるハニカム枠１５Ａの数が多いから、脱臭リング３１に多くの臭気成分やたばこ臭、ノネナール臭を吸着させることができ、空気に含まれる臭気成分やたばこ臭、ノネナール臭をそれらハニカム枠１５Ａ，１５Ｂにおいて確実に取り除くことができる。
【０１１４】
脱臭リング１０Ｅは、扇風機１１の羽根２５の中心域よりも羽根２５の外周域での空気の流れが強くなるが、外側脱臭リング３２の各ハニカム枠１５Ｂの大きさを内側脱臭リング３１の各ハニカム枠１５Ａのそれよりも大きくすることで、外側脱臭リング３２のハニカム枠１５Ｂが扇風機１１に進入する空気の障害になることはなく、扇風機１１に空気をスムーズに流入させることができるとともに、空気が脱臭リング３１，３２を通過するときに、大きさが小さいハニカム枠１５Ａや延出寸法Ｍ３が大きく各壁１７が軸線Ｎに対して前後方向へ前記角度で傾斜するハニカム枠１５Ｂに空気を接触させることで、各ハニカム枠１５Ａ，１５Ｂに多くの臭気成分やたばこ臭、ノネナール臭を吸着させることができ、扇風機１１による送風と同時に清浄な空気を扇風機１１の前方へ送気することができる。
【０１１５】
図２１は、他の一例として示す脱臭リング１０Ｆの部分拡大平面図であり、図２２は、図２１の脱臭リング１０Ｆの内側脱臭リング３１および外側脱臭リング３２の部分拡大斜視図である。脱臭リング１０Ｆは、扇風機１１（後方羽根ガード２０の直前）に着脱可能に取り付けられる扇風機用であり、扇風機１１を通過する空気に含まれる臭気の除去に好適に使用される。脱臭リング１０Ｆは、環状に延びる内周縁部１２と、環状に延びる外周縁部１３と、内周縁部１２に囲繞された円形の中央開口１４とを有する。脱臭リング１０Ｆは、内周縁部１２の側に位置する内側脱臭リング３１と、外周縁部１３の側に位置する外側脱臭リング３２とから形成されている。内側脱臭リング３１と外側脱臭リング３２とは、連結部３３によって連結されている。脱臭リング１０Ｆは、外周縁部１３から内周縁部１２に向かって前後方向後方へ凸となるように弧を画き、外周縁部１３から内周縁部１２に向かって湾曲している（図１４，１５援用）。
【０１１６】
内側脱臭リング３１は、脱臭リング１０Ｄと同様に、複数の多孔質ハニカム枠１５Ａと複数の通気孔１６Ａとを有し、連結部３３から内周縁部１２に向かって前後方向後方へ凸となるように弧を画いている。各ハニカム枠１５Ａは、それらのすべてが同形同大に作られ、内周縁部１２と連結部３３との間において一連につながっている。通気孔１６Ａは、それらのすべてが同形同大に作られている。外側脱臭リング３２は、複数の多孔質ハニカム枠１５Ｂと複数の通気孔１６Ｂとを有し、外周縁部１３から連結部３３に向かって前後方向後方へ凸となるように弧を画いている。各ハニカム枠１５Ｂは、それらのすべてが同形同大に作られ、連結部３３と外周縁部１３との間において一連につながっている。通気孔１６Ｂは、それらのすべてが同形同大に作られている。
【０１１７】
脱臭リング１０Ｆでは、内周縁部１２、外周縁部１３、それら多孔質ハニカム枠１５Ａ，１５Ｂ、連結部３３が一体に成形されている。脱臭リング１０Ｆは、加熱溶融させた熱可塑性合成樹脂（バインダー）と活性炭粉末とを混合した混合物を所定の金型（型）に流し込み、樹脂を固化させることから作られている。活性炭粉末は、図１の脱臭リング１０Ａに使用するそれと同一であり、熱可塑性合成樹脂に対する活性炭粉末の混合割合は、図１の脱臭リング１０Ａのそれと同一である。
【０１１８】
脱臭リング１０Ｆでは、外側脱臭リング３２の各ハニカム枠１５Ｂの大きさが内側脱臭リング３１の各ハニカム枠１５Ａのそれよりも大きく（ハニカム枠１５Ｂの各壁１７の長さ寸法Ｌ３がハニカム枠１５Ａの各壁１７の長さ寸法Ｌ２よりも大きく）、外側脱臭リング３２の通気孔１６Ｂの面積Ｓ３が内側脱臭リング３１の通気孔１６Ａの面積Ｓ２よりも大きい。脱臭リング１０Ｆでは、内側脱臭リング３１においてハニカム枠１５Ａが密に形成され、内側脱臭リング３１の単位面積当たりに形成されるハニカム枠１５Ａの数が外側脱臭リング３２の単位面積当たりに形成されるハニカム枠１５Ｂのそれよりも多い。
【０１１９】
脱臭リング１０Ｆでは、ハニカム枠１５Ｂの各壁１７の前後方向への延出寸法Ｍ３がハニカム枠１５Ａの各壁１７の前後方向への延出寸法Ｍ２よりも大きい。各ハニカム枠１５Ｂの大きさが各ハニカム枠１５Ａのそれよりも大きいが、ハニカム枠１５Ｂの延出寸法Ｍ３をハニカム枠１５Ａのそれよりも大きくすることで、ハニカム枠１５Ｂの比表面積を大きくすることができ、外側脱臭リング３２の脱臭機能を向上させることができる。
【０１２０】
ハニカム枠１５Ａを形成する各壁１７の長さ寸法Ｌ２やハニカム枠１５Ｂを形成する各壁１７の長さ寸法Ｌ３、通気孔１６Ａの面積Ｓ２、通気孔１６Ｂの面積Ｓ３、ハニカム枠１５Ａの各壁１７の前後方向への延出寸法Ｍ２、ハニカム枠１５Ｂの各壁１７の前後方向への延出寸法Ｍ３は、図１４の脱臭リング１０Ｄのそれらと同一である。各ハニカム枠１５Ａにおける各壁１７の長さ寸法Ｌ２や各通気孔１６Ａの面積Ｓ２は同一であり、各ハニカム枠１５Ｂにおける各壁１７の長さ寸法Ｌ３や各通気孔１６Ｂの面積Ｓ３は同一である。各ハニカム枠１５Ａにおける各壁１７の延出寸法Ｍ２は同一であり、各ハニカム枠１５Ｂにおける各壁１７の延出寸法Ｍ３は同一である。
【０１２１】
脱臭リング１０Ｆでは、外側脱臭リング３２のハニカム枠１５Ｂに臭気成分を酸化分解する脱臭触媒が担持されていてもよく、外側脱臭リング３２のハニカム枠１５Ｂに脱臭触媒が担持されていなくてもよい。脱臭触媒は、脱臭具１０Ａに使用するそれと同一である。脱臭リング１０Ｆでは、内側脱臭リング３１のそれら多孔質ハニカム枠１５Ａを形成する各壁１７が脱臭リング１０Ｆの前後方向へ延びる軸線Ｎに対して前後方向へ向かって所定の角度で傾斜している。ハニカム枠１５Ａの各壁１７は同一方向へ傾斜し、それら各壁１７が並行している。軸線Ｎに対するハニカム枠１５Ａの各壁１７の傾斜角度αは、２０〜４５度の範囲、好ましくは、２０〜３０度の範囲である（図１１参照）。
【０１２２】
扇風機１１への脱臭リング１０Ｆの取り付け手順は、図１の脱臭リング１０Ａのそれと同一である（図８参照）。脱臭リング１０Ｆを後方羽根ガード２０とガード締付ナット２４との間に取り付けると、脱臭リング１０Ｆが羽根２１と後方羽根ガード２０との間に位置し、内側脱臭リング３１や外側脱臭リング３２のそれらハニカム枠１５Ａ，１５Ｂが後方羽根ガード２０の湾曲するガードバー３０に沿って位置する。
【０１２３】
扇風機１１の羽根２１が回転すると、後方羽根ガード２０の後方から扇風機１１に進入した空気が脱臭リング１０Ｆの通気孔１６Ａ，１６Ｂを通って扇風機１１の前方へ送風されるが、空気が脱臭リング１０Ｆを通過するときに、各壁１７が軸線Ｎに対して前後方向へ前記角度で傾斜する内側脱臭リング３１の各ハニカム枠１５Ａや外側脱臭リング３２の各ハニカム枠１５Ｂに接触し、空気に含まれる臭気成分やたばこ臭、ノネナール臭がそれらハニカム枠１５Ａ，１５Ｂに吸着される。外側脱臭リング３２のハニカム枠１５Ｂに脱臭触媒が担持されている場合、空気に含まれる臭気成分やたばこ臭、ノネナール臭が脱臭触媒によって酸化分解される。
【０１２４】
脱臭リング１０Ｆは、外側脱臭リング３２の各ハニカム枠１５Ｂに空気を接触させることで、脱臭リング１５Ｂにおいて空気に含まれる臭気を取り除くことができる他、内側脱臭リング３１においてハニカム枠１５Ａが密に形成され、脱臭リング３１の単位面積当たりにおけるハニカム枠１５Ａの数が多いから、脱臭リング３１に多くの臭気成分やたばこ臭、ノネナール臭を吸着させることができ、空気に含まれる臭気成分やたばこ臭、ノネナール臭をそれらハニカム枠１５Ａ，１５Ｂにおいて確実に取り除くことができる。
【０１２５】
脱臭リング１０Ｆは、扇風機１１の羽根２５の中心域よりも羽根２５の外周域での空気の流れが強くなるが、外側脱臭リング３２の各ハニカム枠１５Ｂの大きさを内側脱臭リング３１の各ハニカム枠１５Ａのそれよりも大きくすることで、外側脱臭リング３２のハニカム枠１５Ｂが扇風機１１に進入する空気の障害になることはなく、扇風機１１に空気をスムーズに流入させることができるとともに、空気が脱臭リング３１，３２を通過するときに、大きさが小さく各壁１７が軸線Ｎに対して前後方向へ前記角度で傾斜するハニカム枠１５Ａや延出寸法Ｍ３が大きいハニカム枠１５Ｂに空気を接触させることで、各ハニカム枠１５Ａ，１５Ｂに多くの臭気成分やたばこ臭、ノネナール臭を吸着させることができ、扇風機１１による送風と同時に清浄な空気を扇風機１１の前方へ送気することができる。
【０１２６】
図２３は、他の一例として示す脱臭リング１０Ｇの斜視図である。図２３では、ハニカム枠１５Ａ，１５Ｂおよび通気孔１６Ａ，１６Ｂの図示を一部省略している。脱臭リング１０Ｇは、扇風機１１（後方羽根ガード２０の直前）に着脱可能に取り付けられる扇風機用であり、扇風機１１を通過する空気に含まれる臭気の除去に好適に使用される。脱臭リング１０Ｇは、環状に延びる内周縁部１２と、環状に延びる外周縁部１３と、内周縁部１２に囲繞された円形の中央開口１４とを有する。脱臭リング１０Ｇは、内側脱臭リング３１と外側脱臭リング３２とから形成され、それら脱臭リング３１，３２とが連結部３３によって連結されている。
【０１２７】
内側脱臭リング３１は、複数の多孔質ハニカム枠１５Ａと複数の通気孔１６Ａとを有し、それらハニカム枠１５Ａが内周縁部１２と連結部３３との間において一連につながっているとともに、内周縁部１２から連結部３３に向かって直線状（直状）に連なっている。内側脱臭リング３１は、湾曲することなく、内周縁部１２と連結部３３との間で一直線に延びている。ハニカム枠１５Ａは、それらのすべてが同形同大に作られ、通気孔１６Ａは、それらのすべてが同形同大に作られている。
【０１２８】
外側脱臭リング３２は、複数の多孔質ハニカム枠１５Ｂと複数の通気孔１６Ｂとを有し、それらハニカム枠１５Ｂが連結部３３と外周縁部１３との間において一連につながっているとともに、連結部３３から外周縁部１３に向かって直線状（直状）に連なっている。外側脱臭リング３２は、湾曲することなく、連結部３３と外周縁部１３との間で一直線に延びている。したがって、脱臭リング１０Ｇが湾曲することなく、内周縁部１２と連結部３３との間で一直線に延びている。ハニカム枠１５Ｂは、それらのすべてが同形同大に作られ、通気孔１６Ｂは、それらのすべてが同形同大に作られている。
【０１２９】
脱臭リング１０Ｇでは、内周縁部１２、外周縁部１３、それら多孔質ハニカム枠１５Ａ，１５Ｂ、連結部３３が一体に成形されている。脱臭リング１０Ｇは、加熱溶融させた熱可塑性合成樹脂（バインダー）と活性炭粉末とを混合した混合物を所定の金型（型）に流し込み、樹脂を固化させることから作られている。活性炭粉末は、図１の脱臭リング１０Ａに使用するそれと同一であり、熱可塑性合成樹脂に対する活性炭粉末の混合割合は、図１の脱臭リング１０Ａのそれと同一である。
【０１３０】
脱臭リング１０Ｇでは、ハニカム枠１５Ｂの大きさがハニカム枠１５Ａのそれよりも大きく（ハニカム枠１５Ｂの各壁１７の長さ寸法Ｌ３がハニカム枠１５Ａの各壁１７の長さ寸法Ｌ２よりも大きく）、通気孔１６Ｂの面積Ｓ３が通気孔１６Ａの面積Ｓ２よりも大きい。脱臭リング１０Ｇでは、内側脱臭リング３１においてハニカム枠１５Ａが密に形成され、内側脱臭リング３１の単位面積当たりに形成されるハニカム枠１５Ａの数が外側脱臭リング３２の単位面積当たりに形成されるハニカム枠１５Ｂのそれよりも多い。
【０１３１】
脱臭リング１０Ｇでは、ハニカム枠１５Ｂの各壁１７の延出寸法Ｍ３がハニカム枠１５Ａの各壁１７の延出寸法Ｍ２よりも大きい。各ハニカム枠１５Ｂの大きさが各ハニカム枠１５Ａのそれよりも大きいが、ハニカム枠１５Ｂの延出寸法Ｍ３をハニカム枠１５Ａのそれよりも大きくすることで、ハニカム枠１５Ｂの比表面積を大きくすることができ、外側脱臭リング３２の脱臭機能を向上させることができる。
【０１３２】
ハニカム枠１５Ａを形成する各壁１７の長さ寸法Ｌ２やハニカム枠１５Ｂを形成する各壁１７の長さ寸法Ｌ３、通気孔１６Ａの面積Ｓ２、通気孔１６Ｂの面積Ｓ３、ハニカム枠１５Ａの各壁１７の前後方向への延出寸法Ｍ２、ハニカム枠１５Ｂの各壁１７の前後方向への延出寸法Ｍ３は、図１４の脱臭リング１０Ｄのそれらと同一である。各ハニカム枠１５Ａにおける各壁１７の長さ寸法Ｌ２や各通気孔１６Ａの面積Ｓ２は同一であり、各ハニカム枠１５Ｂにおける各壁１７の長さ寸法Ｌ３や各通気孔１６Ｂの面積Ｓ３は同一である。各ハニカム枠１５Ａにおける各壁１７の延出寸法Ｍ２は同一であり、各ハニカム枠１５Ｂにおける各壁１７の延出寸法Ｍ３は同一である。
【０１３３】
脱臭リング１０Ｇでは、外側脱臭リング３２のハニカム枠１５Ｂに臭気成分を酸化分解する脱臭触媒が担持されていてもよく、外側脱臭リング３２のハニカム枠１５Ｂに脱臭触媒が担持されていなくてもよい。脱臭触媒は、脱臭具１０Ａに使用するそれと同一である。また、図１９，２０のそれと同様に、それら多孔質ハニカム枠１５Ｂを形成する各壁１７が脱臭リング１０Ｇの前後方向へ延びる軸線Ｎに対して前後方向へ向かって所定の角度で傾斜していてもよい（図１９，２０参照）。この場合、ハニカム枠１５Ｂの各壁１７は同一方向へ傾斜し、それら各壁１７が並行する。軸線Ｎに対するハニカム枠１５Ｂの各壁１７の傾斜角度αは、２０〜４５度の範囲、好ましくは、２０〜３０度の範囲である（図１１参照）。
【０１３４】
また、図２０，２１のそれと同様に、それら多孔質ハニカム枠１５Ａを形成する各壁１７が脱臭リング１０Ｇの前後方向へ延びる軸線Ｎに対して前後方向へ向かって所定の角度で傾斜していてもよい（図２０，２１参照）。この場合、ハニカム枠１５Ａの各壁１７は同一方向へ傾斜し、それら各壁１７が並行する。軸線Ｎに対するハニカム枠１５Ａの各壁１７の傾斜角度αは、２０〜４５度の範囲、好ましくは、２０〜３０度の範囲である（図１１参照）。
【０１３５】
扇風機１１への脱臭リング１０Ｇの取り付け手順は、図１の脱臭リング１０Ａのそれと同一である（図８参照）。脱臭リング１０Ｇを後方羽根ガード２０とガード締付ナット２４との間に取り付けると、脱臭リング１０Ｇが羽根２１と後方羽根ガード２０との間に位置し、内側脱臭リング３１や外側脱臭リング３２のそれらハニカム枠１５Ａ，１５Ｂが径方向へ直状に延びる後方羽根ガード２０のガードバー３０に沿って位置する。
【０１３６】
扇風機１１の羽根２１が回転すると、後方羽根ガード２０の後方から扇風機１１に進入した空気が脱臭リング１０Ｇの通気孔１６Ａ，１６Ｂを通って扇風機１１の前方へ送風されるが、空気が脱臭リング１０Ｇを通過するときに、内側脱臭リング３１の各ハニカム枠１５Ａや外側脱臭リング３２の各ハニカム枠１５Ｂに接触し、空気に含まれる臭気成分やたばこ臭、ノネナール臭がそれらハニカム枠１５Ａ，１５Ｂに吸着される。外側脱臭リング３２のハニカム枠１５Ｂに脱臭触媒が担持されている場合、空気に含まれる臭気成分やたばこ臭、ノネナール臭が脱臭触媒によって酸化分解される。
【０１３７】
脱臭リング１０Ｇは、外側脱臭リング３２の各ハニカム枠１５Ｂに空気を接触させることで、脱臭リング１５Ｂにおいて空気に含まれる臭気を取り除くことができる他、内側脱臭リング３１においてハニカム枠１５Ａが密に形成され、脱臭リング３１の単位面積当たりにおけるハニカム枠１５Ａの数が多いから、脱臭リング３１に多くの臭気成分やたばこ臭、ノネナール臭を吸着させることができ、空気に含まれる臭気成分やたばこ臭、ノネナール臭をそれらハニカム枠１５Ａ，１５Ｂにおいて確実に取り除くことができる。
【０１３８】
脱臭リング１０Ｇは、扇風機１１の羽根２５の中心域よりも羽根２５の外周域での空気の流れが強くなるが、ハニカム枠１５Ｂの大きさをハニカム枠１５Ａのそれよりも大きくすることで、ハニカム枠１５Ｂが扇風機１１に進入する空気の障害になることはなく、扇風機１１に空気をスムーズに流入させることができるとともに、空気が脱臭リング３１，３２を通過するときに、大きさが小さいハニカム枠１５Ａ（各壁１７が軸線Ｎに対して前後方向へ前記角度で傾斜する場合を含む。）や延出寸法Ｍ３が大きいハニカム枠１５Ｂ（各壁１７が軸線Ｎに対して前後方向へ前記角度で傾斜する場合を含む。）に空気を接触させることで、各ハニカム枠１５Ａ，１５Ｂに多くの臭気成分やたばこ臭、ノネナール臭を吸着させることができ、扇風機１１による送風と同時に清浄な空気を扇風機１１の前方へ送気することができる。
【０１３９】
図２４は、他の一例として示す脱臭リング１０Ｈの正面図であり、図２５は、図２４の脱臭リング１０Ｈの斜視図である。図２６は、図２４の脱臭リング１０Ｈの内側脱臭リング３１および外側脱臭リング３２の部分拡大斜視図であり、図２７は、図２４の脱臭リング１０Ｈを設置した扇風機１１の正面図である。図２８は、図２４の脱臭リング１０Ｈを設置した扇風機１１の背面斜視図である。図２５，２８では、ハニカム枠１５Ａ，１５Ｂおよび通気孔１６Ａ，１６Ｂの図示を一部省略している。
【０１４０】
脱臭リング１０Ｈは、扇風機１１（後方羽根ガード２０の直前）に着脱可能に取り付けられる扇風機用であり、扇風機１１を通過する空気に含まれる臭気の除去に好適に使用される。脱臭リング１０Ｈは、環状に延びる内周縁部１２と、環状に延びる外周縁部１３と、内周縁部１２に囲繞された円形の中央開口１４とを有する。脱臭リング１０Ｈは、内周縁部１２の側に位置する内側脱臭リング３１と、外周縁部１３の側に位置する外側脱臭リング３２とから形成されている。内側脱臭リング３１と外側脱臭リング３２とは、それらリング３１，３２の間に延びる環状の連結部３３によって連結されている。
【０１４１】
内側脱臭リング３１は、ハニカム形状に成形された複数の多孔質ハニカム枠１５Ａと、ハニカム枠１５Ａに囲繞された複数の通気孔１６Ａとを有する。内側脱臭リング３１は、連結部３３から内周縁部１２に向かって前後方向後方へ凸となるように弧を画き、連結部３３から内周縁部１２に向かって湾曲している。それらハニカム枠１５Ａは、内周縁部１２と連結部３３との間において一連につながっている。ハニカム枠１５Ａは、それらのすべてが同形同大に作られ、通気孔１６Ａは、それらのすべてが同形同大に作られている。
【０１４２】
外側脱臭リング３２は、ハニカム形状に成形された複数の多孔質ハニカム枠１５Ｂと、ハニカム枠１５Ｂに囲繞された複数の通気孔１６Ｂとを有する。外側脱臭リング３２は、外周縁部１３から連結部３３に向かって前後方向後方へ凸となるように弧を画き、外周縁部１３から連結部３３に向かって湾曲している。したがって、脱臭リング１０Ｈは、外周縁部１３から内周縁部１２に向かって前後方向後方へ凸となるように弧を画き、外周縁部１３から内周縁部１２に向かって湾曲している。それらハニカム枠１５Ｂは、連結部３３と外周縁部１３との間において一連につながっている。ハニカム枠１５Ｂは、それらのすべてが同形同大に作られ、通気孔１６Ｂは、それらのすべてが同形同大に作られている。
【０１４３】
脱臭リング１０Ｈでは、内周縁部１２および外周縁部１３、内側脱臭リング３１の多孔質ハニカム枠１５Ａ、外側脱臭リング３２のそれら多孔質ハニカム枠１５Ｂ、連結部３３が一体に成形されている。脱臭リング１０Ｈは、加熱溶融させた熱可塑性合成樹脂（バインダー）と活性炭粉末とを混合した混合物を所定の金型（型）に流し込み、樹脂を固化させることから作られている。活性炭粉末は、図１の脱臭リング１０Ａに使用するそれと同一であり、熱可塑性合成樹脂に対する活性炭粉末の混合割合は、図１の脱臭リング１０Ａのそれと同一である。
【０１４４】
脱臭リング１０Ｈでは、内側脱臭リング３１の各ハニカム枠１５Ａの大きさが外側脱臭リング３２の各ハニカム枠１５Ｂのそれよりも大きく（内側脱臭リング３１のハニカム枠１５Ａの各壁１７の長さ寸法Ｌ２が外側脱臭リング３２のハニカム枠１５Ｂの各壁１７の長さ寸法Ｌ３よりも大きく）、内側脱臭リング３１のハニカム枠１５Ａに囲繞された通気孔１６Ａの面積Ｓ２が外側脱臭リング３２のハニカム枠１５Ｂに囲繞された通気孔１６Ｂの面積Ｓ３よりも大きい。
【０１４５】
脱臭リング１０Ｈでは、ハニカム枠１５Ｂの大きさが内側脱臭リング３１のそれよりも小さい外側脱臭リング３２においてハニカム枠１５Ｂが密に形成される。したがって、外側脱臭リング３２の単位面積当たりに形成されるハニカム枠１５Ｂの数が内側脱臭リング３１の単位面積当たりに形成されるハニカム枠１５Ａのそれよりも多い。
【０１４６】
脱臭リング１０Ｈでは、内側脱臭リング３１のハニカム枠１５Ａの各壁１７の前後方向への延出寸法Ｍ２が外側脱臭リング３２のハニカム枠１５Ｂの各壁１７の前後方向への延出寸法Ｍ３よりも大きい。内側脱臭リング３１の各多孔質ハニカム枠１５Ａの大きさが外側脱臭リング３２の各ハニカム枠１５Ｂのそれよりも大きいが、内側脱臭リング３１のハニカム枠１５Ａの延出寸法Ｍ２を外側脱臭リング３２のハニカム枠１５Ｂのそれよりも大きくすることで、内側脱臭リング３１のハニカム枠１５Ａの比表面積を大きくすることができ、内側脱臭リング３１の脱臭機能を向上させることができる。
【０１４７】
内側脱臭リング３１では、それらハニカム枠１５Ａを形成する各壁１７の長さ寸法Ｌ２が２〜５ｍｍの範囲にあり、ハニカム枠１５Ａに囲繞された通気孔１６Ａの面積Ｓ２が１７．９９〜１１２．４９ｍｍ２の範囲にある。外側脱臭リング３２では、それらハニカム枠１５Ｂを形成する各壁１７の長さ寸法Ｌ３が１〜２．５ｍｍの範囲にあり、ハニカム枠１５Ｂに囲繞された通気孔１６Ｂの面積Ｓ３が４．４９９〜２８．１２ｍｍ２の範囲にある。各ハニカム枠１５Ａにおける各壁１７の長さ寸法Ｌ２や各通気孔１６Ａの面積Ｓ２は同一であり、各ハニカム枠１５Ｂにおける各壁１７の長さ寸法Ｌ３や各通気孔１６Ｂの面積Ｓ３は同一である。
【０１４８】
外側脱臭リング３２のハニカム枠１５Ｂの各壁１７の長さ寸法Ｌ３が１ｍｍ未満であって通気孔１６Ｂの面積Ｓ３が４．４９９ｍｍ２未満では、通気孔１６Ｂの開口面積が小さく、外側脱臭リング３２においてハニカム枠１５Ｂが密集し、外側脱臭リング３２のハニカム枠１５Ｂが通気孔１６Ｂを通過する空気の抵抗となり、扇風機１１から所定量の空気をスムーズに送風することができない場合がある。内側脱臭リング３１のハニカム枠１５Ａの各壁１７の長さ寸法Ｌ２が５ｍｍを超過するとともに通気孔１６Ａの面積Ｓ２が１１２．４９ｍｍ２を超過すると、通気孔１６Ａの開口面積が必要以上に大きくなり、内側脱臭リング３１に形成されるハニカム枠１５Ａの数が少なく、ハニカム枠１５Ａに十分な量の空気を接触させることができず、脱臭リング３１（ハニカム枠１５Ａ）を利用して空気に含まれる臭気成分を取り除くことができない。
【０１４９】
内側脱臭リング３１や外側脱臭リング３２の各ハニカム枠１５Ａ，１５Ｂの各壁１７の長さ寸法Ｌ２，Ｌ３が前記範囲にあり、通気孔１６Ａ，１６Ｂの面積Ｓ２，Ｓ３が前記範囲にあるから、ハニカム枠１５Ａ，１５Ｂが通気孔１６Ａ，１６Ｂを通過する空気の抵抗となることはなく、扇風機１１から所定量の空気をスムーズに送風することができるとともに、ハニカム枠１５Ａ，１５Ｂに十分な量の空気を接触させることができ、空気に含まれる臭気成分やたばこ臭、ノネナール臭を脱臭リング１０Ｈ（ハニカム枠１５Ａ，１５Ｂを作る活性炭粉末の集合物）に確実に吸着させることができる。
【０１５０】
内側脱臭リング３１は、ハニカム枠１５Ａの各壁１７の前後方向への延出寸法Ｍ２が４〜７ｍｍの範囲にあり、外側脱臭リング３２は、ハニカム枠１５Ｂの各壁１７の前後方向への延出寸法Ｍ３が１〜４ｍｍの範囲にある。各ハニカム枠１５Ａにおける各壁１７の延出寸法Ｍ２は同一であり、各ハニカム枠１５Ｂにおける各壁１７の延出寸法Ｍ３は同一である。
【０１５１】
内側脱臭リング３１のハニカム枠１５Ａの各壁１７の延出寸法Ｍ２が７ｍｍを超過すると、ハニカム枠１５Ａの延出寸法Ｍ２が必要以上に大きくなり、ハニカム枠１５Ａが通気孔１６Ａを通過する空気の抵抗となり、扇風機１１から所定量の空気をスムーズに送風することができない。外側脱臭リング３２のハニカム枠１５Ｂの延出寸法Ｍ３が１ｍｍ未満では、ハニカム枠１５Ｂの厚みが薄く、ハニカム枠１５Ｂの比表面積を大きくすることができず、ハニカム枠１５Ｂに接触する空気の量が少なく、脱臭リング１０Ｈ（ハニカム枠１５Ａ，１５Ｂを作る活性炭粉末の集合物）を利用して空気に含まれる臭気成分やたばこ臭、ノネナール臭を取り除くことができない。
【０１５２】
内側脱臭リング３１や外側脱臭リング３２のハニカム枠１５Ａ，１５Ｂの延出寸法Ｍ２，Ｍ３が前記範囲にあるから、ハニカム枠１５Ａ，１５Ｂが通気孔１６Ａ，１６Ｂを通過する空気の抵抗となることはなく、扇風機１１から所定量の空気をスムーズに送風することができるとともに、ハニカム枠１５Ａ，１５Ｂに十分な量の空気を接触させることができ、空気に含まれる臭気成分やたばこ臭、ノネナール臭を脱臭リング１０Ｈ（ハニカム枠１５Ａ，１５Ｂを作る活性炭粉末の集合物）に確実に吸着させることができる。脱臭リング１０Ｈでは、内側脱臭リング３１のハニカム枠１５Ａに臭気成分を酸化分解する脱臭触媒が担持されていてもよく、内側脱臭リング３１のハニカム枠１５Ａに脱臭触媒が担持されていなくてもよい。脱臭触媒は、脱臭具１０Ａに使用するそれと同一である。
【０１５３】
扇風機１１への脱臭リング１０Ｈの取り付け手順は、図１の脱臭リング１０Ａのそれと同一である（図８参照）。脱臭リング１０Ｈを後方羽根ガード２０とガード締付ナット２４との間に取り付けると、脱臭リング１０Ｈが羽根２１と後方羽根ガード２０との間に位置し、内側脱臭リング３１や外側脱臭リング３２のそれらハニカム枠１５Ａ，１５Ｂが後方羽根ガード２０の湾曲するガードバー３０に沿って位置する。
【０１５４】
扇風機１１の羽根２１が回転すると、後方羽根ガード２０の後方から扇風機１１に進入した空気が脱臭リング１０Ｈの通気孔１６を通って扇風機１１の前方へ送風されるが、空気が脱臭リング１０Ｈを通過するときに、その空気が内側脱臭リング３１や外側脱臭リング３２の各ハニカム枠１５Ａ，１５Ｂに接触し、空気に含まれる臭気成分やたばこ臭、ノネナール臭がそれらハニカム枠１５Ａ，１５Ｂに吸着される。内側脱臭リング３１のハニカム枠１５Ａに脱臭触媒が担持されている場合、空気に含まれる臭気成分やたばこ臭、ノネナール臭が脱臭触媒によって酸化分解される。
【０１５５】
脱臭リング１０Ｈは、外側脱臭リング３２の各多孔質ハニカム枠１５Ｂの大きさを内側脱臭リング３１の各ハニカム枠１５Ａのそれよりも小さくすることで、外側脱臭リング３２にハニカム枠１５Ｂが密に形成されるから、外側脱臭リング３１の単位面積当たりに形成されるハニカム枠１５Ｂの数を多くすることができ、外側脱臭リング３２の脱臭機能を向上させることができる。
【０１５６】
脱臭リング１０Ｈは、扇風機１１の羽根２５の中心域よりも羽根２５の外周域での空気の流れが強くなり、外周域での空気の流量が多くなり、外側脱臭リング３２の各ハニカム枠１５Ｂに多量の空気を接触させることができ、それら脱臭リング３１，３２によって臭気成分やたばこ臭、ノネナール臭が除去された清浄な多量の空気を円滑に送風することができる。
【０１５７】
脱臭リング１０Ｈは、延出寸法Ｍ２が大きい内側脱臭リング３１に臭気成分やたばこ臭、ノネナール臭を吸着させることができる他、扇風機１１の羽根２５の外周域における強い空気の流れによって多量の空気が外側脱臭リング３２を通過することで、多孔質ハニカム枠１５Ｂが密に形成された外側脱臭リング３２に多くの臭気成分やたばこ臭、ノネナール臭を吸着させることができ、空気に含まれる臭気成分やたばこ臭、ノネナール臭をそれらハニカム枠１５Ａ，１５Ｂにおいて確実に取り除くことができる。
【０１５８】
脱臭リング１０Ｈは、延出寸法Ｍ３が大きい内側脱臭リング３１のハニカム枠１５Ａや大きさが小さい外側脱臭リング３２のハニカム枠１５Ｂに空気を接触させることで、各ハニカム枠１５Ａ，１５Ｂに多くの臭気成分やたばこ臭、ノネナール臭を吸着させることができるから、扇風機１１による送風と同時に清浄な空気を扇風機１１の前方へ送気することができる。
【０１５９】
図２９は、他の一例として示す脱臭リング１０Ｉの部分拡大平面図であり、図３０は、図２９の脱臭リング１０Ｉの内側脱臭リング３１および外側脱臭リング３２の部分拡大斜視図である。脱臭リング１０Ｉは、扇風機１１（後方羽根ガード２０の直前）に着脱可能に取り付けられる扇風機用であり、扇風機１１を通過する空気に含まれる臭気の除去に好適に使用される。脱臭リング１０Ｉは、環状に延びる内周縁部１２と、環状に延びる外周縁部１３と、内周縁部１２に囲繞された円形の中央開口１４とを有する。脱臭リング１０Ｉは、内周縁部１２の側に位置する内側脱臭リング３１と、外周縁部１３の側に位置する外側脱臭リング３２とから形成されている。内側脱臭リング３１と外側脱臭リング３２とは、連結部３３によって連結されている。脱臭リング１０Ｉは、外周縁部１３から内周縁部１２に向かって前後方向後方へ凸となるように弧を画き、外周縁部１３から内周縁部１２に向かって湾曲している（図２４，２５援用）。
【０１６０】
内側脱臭リング３１は、脱臭リング１０Ｇと同様に、複数の多孔質ハニカム枠１５Ａと複数の通気孔１６Ａとを有し、連結部３３から内周縁部１２に向かって前後方向後方へ凸となるように弧を画いている。各ハニカム枠１５Ａは、それらのすべてが同形同大に作られ、内周縁部１２と連結部３３との間において一連につながっている。通気孔１６Ａは、それらのすべてが同形同大に作られている。外側脱臭リング３２は、複数の多孔質ハニカム枠１５Ｂと複数の通気孔１６Ｂとを有し、外周縁部１３から連結部３３に向かって前後方向後方へ凸となるように弧を画いている。各ハニカム枠１５Ｂは、それらのすべてが同形同大に作られ、連結部３３と外周縁部１３との間において一連につながっている。通気孔１６Ｂは、それらのすべてが同形同大に作られている。
【０１６１】
脱臭リング１０Ｉでは、内周縁部１２、外周縁部１３、それら多孔質ハニカム枠１５Ａ，１５Ｂ、連結部３３が一体に成形されている。脱臭リング１０Ｉは、加熱溶融させた熱可塑性合成樹脂（バインダー）と活性炭粉末とを混合した混合物を所定の金型（型）に流し込み、樹脂を固化させることから作られている。活性炭粉末は、図１の脱臭リング１０Ａに使用するそれと同一であり、熱可塑性合成樹脂に対する活性炭粉末の混合割合は、図１の脱臭リング１０Ａのそれと同一である。
【０１６２】
脱臭リング１０Ｉでは、内側脱臭リング３２の各ハニカム枠１５Ａの大きさが外側脱臭リング３２の各ハニカム枠１５Ｂのそれよりも大きく（ハニカム枠１５Ａの各壁１７の長さ寸法Ｌ２がハニカム枠１５Ｂの各壁１７の長さ寸法Ｌ３よりも大きく）、内側脱臭リング３１の通気孔１６Ａの面積Ｓ２が外側脱臭リング３２の通気孔１６Ｂの面積Ｓ３よりも大きい。脱臭リング１０Ｉでは、外側脱臭リング３２においてハニカム枠１５Ｂが密に形成され、外側脱臭リング３２の単位面積当たりに形成されるハニカム枠１５Ｂの数が内側脱臭リング３１の単位面積当たりに形成されるハニカム枠１５Ａのそれよりも多い。
【０１６３】
脱臭リング１０Ｉでは、ハニカム枠１５Ａの各壁１７の前後方向への延出寸法Ｍ２がハニカム枠１５Ｂの各壁１７の前後方向への延出寸法Ｍ３よりも大きい。各ハニカム枠１５Ａの大きさが各ハニカム枠１５Ｂのそれよりも大きいが、ハニカム枠１５Ａの延出寸法Ｍ２をハニカム枠１５Ｂのそれよりも大きくすることで、ハニカム枠１５Ａの比表面積を大きくすることができ、内側脱臭リング３１の脱臭機能を向上させることができる。
【０１６４】
ハニカム枠１５Ａを形成する各壁１７の長さ寸法Ｌ２やハニカム枠１５Ｂを形成する各壁１７の長さ寸法Ｌ３、通気孔１６Ａの面積Ｓ２、通気孔１６Ｂの面積Ｓ３、ハニカム枠１５Ａの各壁１７の前後方向への延出寸法Ｍ２、ハニカム枠１５Ｂの各壁１７の前後方向への延出寸法Ｍ３は、図２４の脱臭リング１０Ｈのそれらと同一である。各ハニカム枠１５Ａにおける各壁１７の長さ寸法Ｌ２や各通気孔１６Ａの面積Ｓ２は同一であり、各ハニカム枠１５Ｂにおける各壁１７の長さ寸法Ｌ３や各通気孔１６Ｂの面積Ｓ３は同一である。各ハニカム枠１５Ａにおける各壁１７の延出寸法Ｍ２は同一であり、各ハニカム枠１５Ｂにおける各壁１７の延出寸法Ｍ３は同一である。
【０１６５】
脱臭リング１０Ｉでは、内側脱臭リング３１のハニカム枠１５Ａに臭気成分を酸化分解する脱臭触媒が担持されていてもよく、内側脱臭リング３１のハニカム枠１５Ａに脱臭触媒が担持されていなくてもよい。脱臭触媒は、脱臭具１０Ａに使用するそれと同一である。脱臭リング１０Ｉでは、内側脱臭リング３１のそれら多孔質ハニカム枠１５Ａを形成する各壁１７が脱臭リング１０Ｉの前後方向へ延びる軸線Ｎに対して前後方向へ向かって所定の角度で傾斜している。ハニカム枠１５Ａの各壁１７は同一方向へ傾斜し、それら各壁１７が並行している。軸線Ｎに対する各壁１７の傾斜角度αは、２０〜４５度の範囲、好ましくは、２０〜３０度の範囲である（図１１参照）。
【０１６６】
扇風機１１への脱臭リング１０Ｉの取り付け手順は、図１の脱臭リング１０Ａのそれと同一である（図８参照）。脱臭リング１０Ｉを後方羽根ガード２０とガード締付ナット２４との間に取り付けると、脱臭リング１０Ｉが羽根２１と後方羽根ガード２０との間に位置し、内側脱臭リング３１や外側脱臭リング３２のそれらハニカム枠１５Ａ，１５Ｂが後方羽根ガード２０の湾曲するガードバー３０に沿って位置する。
【０１６７】
扇風機１１の羽根２１が回転すると、後方羽根ガード２０の後方から扇風機１１に進入した空気が脱臭リング１０Ｉの通気孔１６Ａ，１６Ｂを通って扇風機１１の前方へ送風されるが、空気が脱臭リング１０Ｉを通過するときに、各壁１７が軸線Ｎに対して前後方向へ前記角度で傾斜する内側脱臭リング３１の各ハニカム枠１５Ａや外側脱臭リング３２の各ハニカム枠１５Ｂに接触し、空気に含まれる臭気成分やたばこ臭、ノネナール臭がそれらハニカム枠１５Ａ，１５Ｂに吸着される。内側脱臭リング３１のハニカム枠１５Ａに脱臭触媒が担持されている場合、空気に含まれる臭気成分やたばこ臭、ノネナール臭が脱臭触媒によって酸化分解される。
【０１６８】
脱臭リング１０Ｉは、延出寸法Ｍ２が大きく各壁１７が軸線Ｎに対して前後方向へ向かって所定の角度で傾斜する内側脱臭リング３１のハニカム枠１５Ａに空気を接触させることで、脱臭リング１５Ａにおいて空気に含まれる臭気を取り除くことができる他、外側脱臭リング３２においてハニカム枠１５Ｂが密に形成され、脱臭リング３２の単位面積当たりにおけるハニカム枠１５Ｂの数が多いから、扇風機１１の羽根２５の外周域における強い空気の流れによって多量の空気が外側脱臭リング３２を通過することで、ハニカム枠１５Ｂが密に形成された外側脱臭リング３２に多くの臭気成分やたばこ臭、ノネナール臭を吸着させることができ、空気に含まれる臭気成分やたばこ臭、ノネナール臭をそれらハニカム枠１５Ａ，１５Ｂにおいて確実に取り除くことができる。
【０１６９】
脱臭リング１０Ｉは、延出寸法Ｍ３が大きい内側脱臭リング３１のハニカム枠１５Ａや大きさが小さい外側脱臭リング３２のハニカム枠１５Ｂに空気を接触させることで、各ハニカム枠１５Ａ，１５Ｂに多くの臭気成分やたばこ臭、ノネナール臭を吸着させることができるから、空気に含まれる臭気成分やたばこ臭、ノネナール臭を脱臭リング１０Ｈにおいて確実に取り除くことができるとともに、扇風機１１による送風と同時に清浄な空気を扇風機１１の前方へ送気することができる。
【０１７０】
図３１は、他の一例として示す脱臭リング１０Ｊの斜視図である。図３１では、ハニカム枠１５Ａ，１５Ｂおよび通気孔１６Ａ，１６Ｂの図示を一部省略している。脱臭リング１０Ｊは、扇風機１１（後方羽根ガード２０の直前）に着脱可能に取り付けられる扇風機用であり、扇風機１１を通過する空気に含まれる臭気の除去に好適に使用される。脱臭リング１０Ｊは、環状に延びる内周縁部１２と、環状に延びる外周縁部１３と、内周縁部１２に囲繞された円形の中央開口１４とを有する。脱臭リング１０Ｊは、内側脱臭リング３１と外側脱臭リング３２とから形成され、それら脱臭リング３１，３２とが連結部３３によって連結されている。
【０１７１】
内側脱臭リング３１は、複数の多孔質ハニカム枠１５Ａと複数の通気孔１６Ａとを有し、それらハニカム枠１５Ａが内周縁部１２と連結部３３との間において一連につながっているとともに、内周縁部１２から連結部３３に向かって直線状（直状）に連なっている。内側脱臭リング３１は、湾曲することなく、内周縁部１２と連結部３３との間で一直線に延びている。ハニカム枠１５Ａは、それらのすべてが同形同大に作られ、通気孔１６Ａは、それらのすべてが同形同大に作られている。
【０１７２】
外側脱臭リング３２は、複数の多孔質ハニカム枠１５Ｂと複数の通気孔１６Ｂとを有し、それらハニカム枠１５Ｂが連結部３３と外周縁部１３との間において一連につながっているとともに、連結部３３から外周縁部１３に向かって直線状（直状）に連なっている。外側脱臭リング３２は、湾曲することなく、連結部３３と外周縁部１３との間で一直線に延びている。したがって、脱臭リング１０Ｆが湾曲することなく、内周縁部１２と連結部３３との間で一直線に延びている。ハニカム枠１５Ｂは、それらのすべてが同形同大に作られ、通気孔１６Ｂは、それらのすべてが同形同大に作られている。
【０１７３】
脱臭リング１０Ｊでは、内周縁部１２、外周縁部１３、それら多孔質ハニカム枠１５Ａ，１５Ｂ、連結部３３が一体に成形されている。脱臭リング１０Ｊは、加熱溶融させた熱可塑性合成樹脂（バインダー）と活性炭粉末とを混合した混合物を所定の金型（型）に流し込み、樹脂を固化させることから作られている。活性炭粉末は、図１の脱臭リング１０Ａに使用するそれと同一であり、熱可塑性合成樹脂に対する活性炭粉末の混合割合は、図１の脱臭リング１０Ａのそれと同一である。
【０１７４】
脱臭リング１０Ｊでは、ハニカム枠１５Ａの大きさがハニカム枠１５Ｂのそれよりも大きく（ハニカム枠１５Ａの各壁１７の長さ寸法Ｌ２がハニカム枠１５Ｂの各壁１７の長さ寸法Ｌ３よりも大きく）、通気孔１６Ａの面積Ｓ２が通気孔１６Ｂの面積Ｓ３よりも大きい。脱臭リング１０Ｊでは、外側脱臭リング３２においてハニカム枠１５Ｂが密に形成され、外側脱臭リング３２の単位面積当たりに形成されるハニカム枠１５Ｂの数が内側脱臭リング３１の単位面積当たりに形成されるハニカム枠１５Ａのそれよりも多い。
【０１７５】
脱臭リング１０Ｊでは、ハニカム枠１５Ａの各壁１７の延出寸法Ｍ２がハニカム枠１５Ｂの各壁１７の延出寸法Ｍ３よりも大きい。各ハニカム枠１５Ａの大きさが各ハニカム枠１５Ｂのそれよりも大きいが、ハニカム枠１５Ａの延出寸法Ｍ２をハニカム枠１５Ｂのそれよりも大きくすることで、ハニカム枠１５Ａの比表面積を大きくすることができ、内側脱臭リング３１の脱臭機能を向上させることができる。
【０１７６】
ハニカム枠１５Ａを形成する各壁１７の長さ寸法Ｌ２やハニカム枠１５Ｂを形成する各壁１７の長さ寸法Ｌ３、通気孔１６Ａの面積Ｓ２、通気孔１６Ｂの面積Ｓ３、ハニカム枠１５Ａの各壁１７の前後方向への延出寸法Ｍ２、ハニカム枠１５Ｂの各壁１７の前後方向への延出寸法Ｍ３は、図２４の脱臭リング１０Ｈのそれらと同一である。各ハニカム枠１５Ａにおける各壁１７の長さ寸法Ｌ２や各通気孔１６Ａの面積Ｓ２は同一であり、各ハニカム枠１５Ｂにおける各壁１７の長さ寸法Ｌ３や各通気孔１６Ｂの面積Ｓ３は同一である。各ハニカム枠１５Ａにおける各壁１７の延出寸法Ｍ２は同一であり、各ハニカム枠１５Ｂにおける各壁１７の延出寸法Ｍ３は同一である。
【０１７７】
脱臭リング１０Ｊでは、内側脱臭リング３１のハニカム枠１５Ａに臭気成分を酸化分解する脱臭触媒が担持されていてもよく、内側脱臭リング３１のハニカム枠１５Ａに脱臭触媒が担持されていなくてもよい。脱臭触媒は、脱臭具１０Ａに使用するそれと同一である。また、図２９，３０のそれと同様に、それら多孔質ハニカム枠１５Ａを形成する各壁１７が脱臭リング１０Ｉの前後方向へ延びる軸線Ｎに対して前後方向へ向かって所定の角度で傾斜していてもよい（図２９，３０参照）。この場合、ハニカム枠１５Ａの各壁１７は同一方向へ傾斜し、それら各壁１７が並行する。軸線Ｎに対するハニカム枠１５Ａの各壁１７の傾斜角度αは、２０〜４５度の範囲、好ましくは、２０〜３０度の範囲である（図１１参照）。
【０１７８】
扇風機１１への脱臭リング１０Ｊの取り付け手順は、図１の脱臭リング１０Ａのそれと同一である（図８参照）。脱臭リング１０Ｊを後方羽根ガード２０とガード締付ナット２４との間に取り付けると、脱臭リング１０Ｊが羽根２１と後方羽根ガード２０との間に位置し、内側脱臭リング３１や外側脱臭リング３２のそれらハニカム枠１５Ａ，１５Ｂが径方向へ直状に延びる後方羽根ガード２０のガードバー３０に沿って位置する。
【０１７９】
扇風機１１の羽根２１が回転すると、後方羽根ガード２０の後方から扇風機１１に進入した空気が脱臭リング１０Ｊの通気孔１６Ａ，１６Ｂを通って扇風機１１の前方へ送風されるが、空気が脱臭リング１０Ｊを通過するときに、内側脱臭リング３１の各ハニカム枠１５Ａや外側脱臭リング３２の各ハニカム枠１５Ｂに接触し、空気に含まれる臭気成分やたばこ臭、ノネナール臭がそれらハニカム枠１５Ａ，１５Ｂに吸着される。内側脱臭リング３１のハニカム枠１５Ａに脱臭触媒が担持されている場合、空気に含まれる臭気成分やたばこ臭、ノネナール臭が脱臭触媒によって酸化分解される。
【０１８０】
脱臭リング１０Ｊは、内側脱臭リング３１の延出寸法Ｍ２が大きいハニカム枠１５Ａに空気を接触させることで、脱臭リング１５Ａにおいて空気に含まれる臭気を取り除くことができる他、外側脱臭リング３２においてハニカム枠１５Ｂが密に形成され、脱臭リング３２の単位面積当たりにおけるハニカム枠１５Ｂの数が多いから、扇風機１１の羽根２５の外周域における強い空気の流れによって多量の空気が外側脱臭リング３２を通過することで、ハニカム枠１５Ｂが密に形成された外側脱臭リング３２に多くの臭気成分やたばこ臭、ノネナール臭を吸着させることができ、空気に含まれる臭気成分やたばこ臭、ノネナール臭をそれらハニカム枠１５Ａ，１５Ｂにおいて確実に取り除くことができる。
【０１８１】
脱臭リング１０Ｊは、延出寸法Ｍ３が大きい内側脱臭リング３１のハニカム枠１５Ａ（各壁１７が軸線Ｎに対して前後方向へ前記角度で傾斜する場合を含む。）や大きさが小さい外側脱臭リング３２のハニカム枠１５Ｂに空気を接触させることで、各ハニカム枠１５Ａ，１５Ｂに多くの臭気成分やたばこ臭、ノネナール臭を吸着させることができるから、扇風機１１による送風と同時に清浄な空気を扇風機１１の前方へ送気することができる。
【符号の説明】
【０１８２】
１０Ａ    脱臭リング
１０Ｂ    脱臭リング
１０Ｃ    脱臭リング
１０Ｄ    脱臭リング
１０Ｅ    脱臭リング
１０Ｆ    脱臭リング
１０Ｇ    脱臭リング
１０Ｈ    脱臭リング
１０Ｉ    脱臭リング
１０Ｊ    脱臭リング
１１    扇風機
１２    内周縁部
１３    外周縁部
１４    中央開口
１５    ハニカム枠
１５Ａ    ハニカム枠
１５Ｂ    ハニカム枠
１６    通気孔
１６Ａ    通気孔
１６Ｂ    通気孔
１７    壁
１８    前方羽根ガード
１９    クリップ
２０    後方羽根ガード
２１    羽根
２２    モーター軸
２３    スピンナー
２４    ガード締付ナット
２５    モーターケース
２６    螺子パイプ
２７    内周部
２８    ガードリング
２９    ガードリング
３０    ガードバー
３１    内側脱臭リング
３２    外側脱臭リング
３３    連結部
Ｌ１    長さ寸法
Ｌ２    長さ寸法
Ｌ３    長さ寸法
Ｍ１    延出寸法
Ｍ２    延出寸法
Ｍ３    延出寸法
Ｓ１    面積
Ｓ２    面積
Ｓ３    面積
【図１】
2015029876.tif 000003
【図２】
2015029876.tif 000004
【図３】
2015029876.tif 000005
【図４】
2015029876.tif 000006
【図５】
2015029876.tif 000007
【図６】
2015029876.tif 000008
【図７】
2015029876.tif 000009
【図８】
2015029876.tif 000010
【図９】
2015029876.tif 000011
【図１０】
2015029876.tif 000012
【図１１】
2015029876.tif 000013
【図１２】
2015029876.tif 000014
【図１３】
2015029876.tif 000015
【図１４】
2015029876.tif 000016
【図１５】
2015029876.tif 000017
【図１６】
2015029876.tif 000018
【図１７】
2015029876.tif 000019
【図１８】
2015029876.tif 000020
【図１９】
2015029876.tif 000021
【図２０】
2015029876.tif 000022
【図２１】
2015029876.tif 000023
【図２２】
2015029876.tif 000024
【図２３】
2015029876.tif 000025
【図２４】
2015029876.tif 000026
【図２５】
2015029876.tif 000027
【図２６】
2015029876.tif 000028
【図２７】
2015029876.tif 000029
【図２８】
2015029876.tif 000030
【図２９】
2015029876.tif 000031
【図３０】
2015029876.tif 000032
【図３１】
2015029876.tif 000033